(57)【要約】免許が不要なスペクトルの効率的な使用のためのシステムおよび方法が開示される。いくつかの実施形態によれば、送信機によって実行される方法は、送信ノードの送信帯域幅内のチャネルに対してリッスンビフォアトーク（LBT）プロシージャを実行することを有し、送信帯域幅は、チャネルに対応する帯域幅部分に分割される。本方法は、LBTプロシージャの結果に基づいて利用可能であると判定されたチャネルのサブセットに対応する帯域幅部分のサブセットで送信信号を送信することをさらに有する。送信信号を送信することは、帯域幅部分のサブセット上で送信信号を送信するためにキャリアアグリゲーションおよび／またはキャリアマージを使用し、帯域幅部分のサブセットのうちからの2つ以上の隣接する帯域幅部分の間にある1つ以上のガードバンドにおいてリソースを使用する送信方式に従って送信信号を送信することを有する。
2021510483.tif 000002
【特許請求の範囲】
【請求項１】
リッスンビフォアトーク（LBT）を必要とする周波数スペクトルにおいて送信を実行するための送信ノードによって実行される方法であって、
送信ノードの送信帯域幅内の複数のチャネルに対してLBTプロシージャを実行することであって、当該送信帯域幅は、前記複数のチャネルに対応する複数の帯域幅部分に分割されている、こと（606、700）と、
前記複数のチャネルに対して実行された前記LBTプロシージャの結果に基づいて利用可能であると判定された前記複数のチャネルのサブセットに対応する前記複数の帯域幅部分のサブセットにおいて送信信号を送信すること（608、702）と、を有し、前記送信信号を送信することは、送信方式に従って前記送信信号を送信することを含み、当該送信方式は、
前記複数の帯域幅部分の前記サブセット上で前記送信信号を送信するために、キャリアアグリゲーション、および／または、キャリアマージ化を使用するとともに、
前記複数の帯域幅部分の前記サブセットのうちで2つ以上の隣接する帯域幅部分の間にある1つ以上のガードバンド内のリソースを使用するものである、方法。
【請求項２】
請求項1に記載の方法であって、前記複数のチャネルの前記サブセットは、少なくとも2つのチャネルを有し、前記複数の帯域幅部分の前記サブセットにおいて前記送信信号を送信すること（608、702）は、キャリアアグリゲーション方式に従って、前記複数の帯域幅部分の前記サブセットにおいて前記送信信号を送信すること（608、702）を有する、方法。
【請求項３】
請求項1に記載の方法であって、前記複数のチャネルの前記サブセットは、前記複数のチャネルのうちからの少なくとも2つの隣接するチャネルを有し、前記複数の帯域幅部分の前記サブセットにおいて前記送信信号を送信すること（608、702）は、少なくとも2つの隣接する帯域幅部分をマージし、前記少なくとも2つの隣接する帯域幅部分の間にある少なくとも1つのガードバンドにおいて少なくともいくつかのリソースを利用するキャリアマージ化方式に従って、前記少なくとも2つの隣接するチャネルに対応する前記少なくとも2つの隣接する帯域幅部分において前記送信信号を送信すること（608、702）を有する、方法。
【請求項４】
請求項1に記載の方法であって、
前記複数の帯域幅部分におけるリソースは、論理的に複数のインターレースに分割されており、
前記複数のチャネルの前記サブセットは、前記複数のチャネルのうちからの少なくとも2つの隣接するチャネルを有し、
前記複数の帯域幅部分の前記サブセットで前記送信信号を送信すること（608、702）は、キャリアマージ化方式に従って、前記少なくとも2つの隣接するチャネルに対応する前記少なくとも2つの隣接する帯域幅部分における複数のインターレースのうちの1つ以上を使用して前記送信信号を送信すること（608、702）を有し、当該キャリアマージ化方式は、
前記少なくとも2つの隣接する帯域幅部分をマージし、
前記少なくとも2つの隣接する帯域幅部分の間にある少なくとも1つのガードバンドにおける少なくともいくつかのリソースを利用するものであり、前記少なくとも1つのガードバンドにおける前記少なくともいくつかのリソースは、前記送信信号が送信される前記複数のインターレースのうちの前記1つ以上のうちの少なくとも1つに割り当てられるリソースを有する、方法。
【請求項５】
請求項3または4に記載の方法であって、前記複数のチャネルの前記サブセットは、前記少なくとも2つの隣接するチャネルに隣接していない前記複数のチャネルのうちからの少なくとも1つのチャネルをさらに有し、前記複数の帯域幅部分の前記サブセットにおいて前記送信信号を送信すること（608、702）は、（a）キャリアマージ化方式に従ってマージされる前記少なくとも2つの隣接するチャネルに対応する少なくとも2つの隣接する帯域幅部分と、（b）キャリアアグリゲーション方式に従って、前記少なくとも2つの隣接する帯域幅部分に隣接していない前記少なくとも1つのチャネルに対応する少なくとも1つの帯域幅部分とにおいて、前記送信信号を送信することをさらに有する、方法。
【請求項６】
請求項1に記載の方法であって、前記複数のチャネルの前記サブセットは、前記複数のチャネルのうちからの少なくとも2つの隣接するチャネルを有し、前記複数の帯域幅部分の前記サブセットにおいて前記送信信号を送信すること（608、702）は、前記少なくとも2つの隣接する帯域幅部分の間にある1つ以上のガードバンドにおける少なくともいくつかのリソースを利用するキャリアアグリゲーション方式に従って、前記少なくとも2つの隣接するチャネルに対応する少なくとも2つの隣接する帯域幅部分において前記送信信号を送信すること（608、702）を有する、方法。
【請求項７】
請求項1に記載の方法であって、
前記複数の帯域幅部分のリソースは、論理的に複数のインターレースに分割されており、
前記複数のチャネルの前記サブセットは、前記複数のチャネルのうちからの少なくとも2つの隣接するチャネルを有し、
前記複数の帯域幅部分の前記サブセットにおいて前記送信信号を送信すること（608、702）は、前記送信信号が送信される前記1つ以上のインターレースのうちの少なくとも1つに割り当てられた前記少なくとも2つの隣接する帯域幅部分の間にある1つ以上のガードバンドにおける少なくともいくつかのリソースを利用するキャリアアグリゲーション方式に従い、前記少なくとも2つの隣接するチャネルに対応した少なくとも2つの隣接する帯域幅部分にある複数のインターレースのうちの1つ以上を使用して前記送信信号を送信すること（608、702）を有する、方法。
【請求項８】
請求項1に記載の方法であって、前記送信方式は、前記複数の帯域幅部分の各々において複数のインターレースを定義するインターレースデザインを利用するものであり、特定のインターレースのために割り当てられた前記ガードバンドの少なくとも1つにおけるリソースは、前記複数の帯域幅部分内の対応するインターレースを占有している同一の無線デバイスに割り当てられる、方法。
【請求項９】
請求項1から8のいずれか1項に記載の方法であって、前記送信方式は、前記複数の帯域幅部分の各々において複数のインターレースを定義するインターレースデザインを利用し、前記インターレースデザインは、前記複数の帯域幅部分における前記複数のインターレースの間にサブキャリアレベルアライメントが存在するように、前記複数の帯域幅部分のうちの少なくとも1つのための中心周波数をオフセットする、方法。
【請求項１０】
請求項1から8のいずれか1項に記載の方法であって、前記送信方式は、前記複数の帯域幅部分の各々において複数のインターレースを定義するインターレースデザインを利用するものであり、前記インターレースデザインは、前記複数の帯域幅部分における前記複数のインターレースの間に物理リソースブロックレベルアライメントが存在するように、前記複数の帯域幅部分のうちの少なくとも1つのための中心周波数をオフセットする、方法。
【請求項１１】
請求項10に記載の方法であって、各帯域幅部分におけるインターレースのインデックスは、すべての帯域幅部分において同一のインターレースの物理リソースブロックが均一に分散されるように、循環シフトされる、方法。
【請求項１２】
請求項1から11のいずれか1項に記載の方法であって、前記送信信号を生成する際に、前記送信ノードの送信帯域幅をサポートすることができるサイズの高速フーリエ変換（FFT）が、前記複数のチャネルのための前記LBTプロシージャの全てのありうる結果のために使用される、方法。
【請求項１３】
請求項1から12のいずれか1項に記載の方法であって、前記送信ノードの最大サポート帯域幅は、前記送信ノードに対して事前構成されるか、または、前記送信ノードにシグナリングされる、方法。
【請求項１４】
請求項1から13のいずれか1項に記載の方法であって、前記送信ノードは無線デバイスであり、前記方法は、ネットワークノードから、前記送信信号に使用される符号化率、変調次数、および少なくとも1つのインターレースのシグナリングを受信すること（600）をさらに有する、方法。
【請求項１５】
請求項14に記載の方法であって、前記複数のチャネルに対して実行される前記LBTプロシージャによって決定される前記利用可能なチャネルの数、および／または、隣接する利用可能なチャネル間にある前記1つ以上のガードバンドにおける余分なリソースが、アップリンク送信のために使用されるべきかどうか、に基づいて、前記送信のためのトランスポートブロックサイズを適応させること、をさらに有する、方法。
【請求項１６】
リッスンビフォアトーク（LBT）を必要とする周波数スペクトルにおいて送信を実行するために送信ノードによって実行される方法であって、
前記送信ノードの送信帯域幅内の複数のチャネルに対してLBTプロシージャを実行することであって、前記送信帯域幅は、複数のチャネルに対応する複数の帯域幅部分に分割されている、こと（1202、1308）と、
前記複数のチャネルについて実行されたLBTプロシージャの結果に基づいて利用可能であると判定された前記複数のチャネルのサブセットに対応する複数の帯域幅部分のサブセットにおける送信機会（TxOP）の第1の部分の期間で送信すること（1204、1310）であって、前記TxOPの前記第1の部分の期間で送信すること（1204、1310）は、隣接する帯域幅部分の間にあるガードバンド内のリソースを利用しない第1の送信方式に従って、前記TxOPの前記第1の部分の期間で送信すること（1204、1310）を有する、ことと、
前記複数の帯域幅部分の前記サブセットにおける前記TxOPの第2の部分の期間で送信すること（1210、1316）とであって、前記TxOPの前記第2の部分の期間で送信すること（1210、1316）は、互いに隣接する複数の帯域幅部分のサブセットのうちの2つ以上の間にある1つ以上のガードバンド内のリソースを利用する第2の送信方式に従って、前記TxOPの前記第2の部分の期間で送信すること（1210、1316）を有する、ことと、
を有する、方法。
【請求項１７】
請求項16に記載の方法であって、前記第1の送信方式および前記第2の送信方式は、前記複数の帯域幅部分のそれぞれにおいて複数のインターレースを定義するインターレースデザインを利用する、方法。
【請求項１８】
請求項16または17に記載の方法であって、前記第1の送信方式は、利用可能であると判定された前記複数のチャネルの前記サブセットに対応する前記複数の帯域幅部分の前記サブセットにおいて、前記TxOPの前記第1の部分の期間で送信するために利用されるキャリアアグリゲーション方式である、方法。
【請求項１９】
請求項18に記載の方法であって、前記第2の送信方式は、利用可能であると判定された前記複数のチャネルの前記サブセットに対応する前記複数の帯域幅部分の前記サブセットにおいて、前記TxOPの前記第2の部分の期間で送信するために利用されるキャリアアグリゲーション方式とキャリアマージ化方式との組合せであり、前記リソースは、互いに隣接する前記複数の帯域幅部分の前記サブセットのうちの前記2つ以上の間にある前記1つ以上のガードバンド内に存在する、方法。
【請求項２０】
請求項18に記載の方法であって、前記第2の送信方式は、利用可能であると判定された前記複数のチャネルの前記サブセットに対応する前記複数の帯域幅部分の前記サブセットにおいて前記TxOPの前記第2の部分の期間で送信するために利用されるキャリアアグリゲーション方式である、方法。
【請求項２１】
請求項18に記載の方法であって、前記第2の送信方式は、利用可能であると判定された前記複数のチャネルの前記サブセットに対応する前記複数の帯域幅部分の前記サブセットにおいて前記TxOPの前記第2の部分の期間で送信するために利用されるキャリアマージ化方式である、方法。
【請求項２２】
請求項16または17に記載の方法であって、
前記第1の送信方式は、利用可能であると判定された前記複数のチャネルの前記サブセットに対応する前記複数の帯域幅部分の前記サブセットにおけるTxOPの第1の部分の期間で送信するために利用されるキャリアアグリゲーション方式であり、
前記第2の送信方式は、利用可能であると判定された前記複数のチャネルの前記サブセットに対応する前記複数の帯域幅部分の前記サブセットにおけるTxOPの第2の部分の期間で送信するために利用されるキャリアマージ化方式である、方法。
【請求項２３】
請求項16から22のいずれか1項に記載の方法であって、前記LBTプロシージャを完了する前に、前記TxOPの前記第1の部分の期間での送信のためのトランスポートブロックを生成すること（1202、1306）と、前記TxOPの前記第1の部分の期間での送信のための前記トランスポートブロックを前記複数の帯域幅部分にマッピングすることと、をさらに有する、方法。
【請求項２４】
請求項23に記載の方法であって、前記LBTプロシージャを完了した後に、前記TxOPの前記第2の部分の期間での送信のためのトランスポートブロックを生成すること（1208、1314）と、前記TxOPの前記第2の部分の期間での送信のための前記トランスポートブロックを、利用可能であると判定された前記複数のチャネルの前記サブセットに対応する前記複数の帯域幅部分の前記サブセットにマッピングすることと、をさらに有する、方法。
【請求項２５】
請求項16に記載の方法であって、前記LBTプロシージャを完了する前に、前記TxOPの前記第1の部分と前記TxOPの前記第2の部分との両方の期間で送信するためのコードブロックを生成することと、前記コードブロックを前記複数の帯域幅部分にマッピングすることと、をさらに有し、前記第1の送信方式および前記第2の送信方式は、利用可能であると判定された前記複数のチャネルの前記サブセットに対応する前記複数の帯域幅部分の前記サブセットにおいて前記TxOPのそれぞれの部分の期間で送信するために、キャリアマージ化、または、キャリアアグリゲーションとキャリアマージ化との組合せを利用するものである、方法。
【請求項２６】
請求項16から25のいずれか1項に記載の方法であって、前記TxOPの前記第1の部分と前記TxOPの前記第2の部分との間にあるスイッチポイントのタイミングは、事前構成される、方法。
【請求項２７】
リッスンビフォアトーク（LBT）を必要とする周波数スペクトルで送信信号を受信するために受信機によって実行される方法であって、
送信ノードから、送信のために利用可能な前記送信ノードの送信帯域幅内の複数のチャネルのサブセットに対応する前記送信ノードの送信帯域幅内の複数の帯域幅部分のサブセットにおける送信信号を受信すること（608、702）を有し、前記送信信号を受信すること（608、702）は、それぞれの送信方式に従って送信信号を受信すること（608、702）を有し、前記送信方式は、前記複数の帯域幅部分の前記サブセット上で前記送信信号を送信するためにキャリアアグリゲーション、および／または、キャリアマージ化を利用し、前記複数の帯域幅部分の前記サブセットのうちからの2つ以上の隣接する帯域幅部分の間にある1つ以上のガードバンドにおけるリソースを利用するものである、方法。
【請求項２８】
請求項27に記載の方法であって、前記送信ノードの送信のために前記送信ノードによって使用される少なくとも1つのインターレースを示す1つ以上のパラメータを用いて、前記送信ノードを事前構成する（600）か、または、前記送信ノードへ構成をシグナリングをする（600）こと、をさらに有する、方法。
【請求項２９】
請求項27または28に記載の方法であって、さらに、
前記送信ノードの前記送信帯域幅内の前記複数のチャネルを有するチャネルセットに対してLBTプロシージャを実行（602）し、それによって、前記送信ノードの前記送信帯域幅内の前記複数のチャネルのうちから2つ以上の利用可能なチャネルを決定することと、
前記送信ノードに、前記2つ以上の利用可能なチャネルのインジケーションをシグナリングする（604）ことと、を有する、方法。
【請求項３０】
前記送信は、前記受信機からの関連する送信のチャネル占有を共有する、請求項27から29のいずれか1項に記載の方法。
【請求項３１】
リッスンビフォアトーク（LBT）を必要とする周波数スペクトルで送信信号を受信するために受信機によって実行される方法であって、
送信のために利用可能な送信ノードの送信帯域幅内の複数のチャネルのサブセットに対応する前記送信ノードの前記送信帯域幅の複数の帯域幅部分のサブセットにおけるTxOPの第1の部分の期間で前記送信ノードからの送信の第1の部分を受信することであって、前記TxOPの前記第1の部分の期間における前記送信の前記第1の部分は、隣接する帯域幅部分の間にあるガードバンド内のリソースを利用しない第1の送信方式に従う、こと（1204、1310）と、
前記複数の帯域幅部分の前記サブセットにおける前記TxOPの第2の部分の期間で前記送信ノードからの前記送信の第2の部分を受信することであって、前記TxOPの前記第2の部分の期間での前記送信の前記第2の部分は、互いに隣接する前記複数の帯域幅部分の前記サブセットのうちの2つ以上の間にある1つ以上のガードバンド内のリソースを利用する第2の送信方式に従うものである、こと（1210、1316）と、
を有する、方法。
【請求項３２】
請求項31に記載の方法であって、前記送信ノードに、前記TxOPの前記第1の部分と前記TxOPの前記第2の部分との間のスイッチポイントのタイミングのインジケーションをシグナリングすること（1300）をさらに有する、方法。
【請求項３３】
請求項1から26のいずれか1項に記載の方法を実行するように適合した送信ノード。
【請求項３４】
請求項33に記載の送信ノードであって、前記送信ノードは無線デバイスであり、前記受信機はセルラー通信ネットワークにおける基地局である、送信ノード。
【請求項３５】
送信ノードであって、
少なくとも1つの送信機（1708）と、
前記少なくとも1つの送信機（1708）と関連するプロセッシング回路（1702）とを有し、前記プロセッシング回路（1702）は、前記送信ノードに請求項1から26のいずれか1項に記載の方法を実行させるように構成されている、送信ノード。
【請求項３６】
請求項27から32のいずれか1項に記載の方法を実行するように適合した受信ノード。
【請求項３７】
請求項36に記載の受信ノードであって、前記受信ノードはセルラー通信ネットワークにおける基地局であり、前記送信ノードは無線デバイスである、受信ノード。
【請求項３８】
受信ノードであって、
少なくとも1つの受信機（1414）に関連するプロセッシング回路（1404）を有し、前記プロセッシング回路（1404）は、前記受信ノードに請求項27から32のいずれか1項に記載の方法を実行させるように構成されている、受信ノード。
【発明の詳細な説明】
【技術分野】
【０００１】
本開示は免許が不要なスペクトルにおけるセルラー通信に関する。
【背景技術】
【０００２】
現在、新無線（NR：ニューレディオ）と呼ばれる第5世代（5G）のセルラーシステムは、第3世代パートナーシッププロジェクト（3GPP）において標準化規格の策定中である。NRは、典型的なモバイルブロードバンドのユースケースを有するが、マシンタイプ通信（MTC）、超低遅延クリティカル通信（ULLCC）、サイドリンクデバイスツーデバイス（D2D）、およびいくつかの他のユースケースも有する、複数の実質的に異なるユースケースをサポートするなど、最大限の柔軟性のために開発されている。
【０００３】
NRでは、基本スケジューリング単位はスロットと呼ばれる。スロットは、ノーマルのサイクリックプレフィックス（CP）コンフィギュレーション（構成）のための14個の直交周波数分割多重方式化（OFDM）シンボルから構成される。NRは多くの異なるサブキャリア間隔構成をサポートし、60キロヘルツ（kHz）のサブキャリア間隔で、OFDMシンボルのデュレーション（持続時間）は〜16．7マイクロ秒（us）である。一例として、同じサブキャリア間隔に対して14個のシンボルを有するスロットは、250 usの長さである（CPを有する）。
【０００４】
NRはまた、同じサービングセル上の異なるユーザ装置デバイス（UE）のための柔軟な帯域幅構成をサポートする。言い換えると、UEによって監視され、その制御チャネルおよびデータチャネルのために使用される帯域幅は、キャリア帯域幅よりも狭くてもよい。各コンポーネントキャリアのための1つ以上の帯域幅部分（BWP）構成は、UEに半静的にシグナリング可能であり、BWPは、連続する物理リソースブロック（PRB）のグループからなる。予約済みリソースは、BWP 内に構成可能である。BWP の帯域幅は、UE でサポートされている最大帯域幅能力と同じか、それよりも狭くなる。
【０００５】
NRは免許が必要なバンドと免許が不要なバンドの両方を対象としており、2018年初頭に免許不要NR（NR−U）と名付けられた研究項目が始まる予定である。NRのいくつかの特徴は、免許が不要なバンドの特殊な特性、および、様々な規制に準拠するように適合される必要があることが予想される。60または30kHzのサブキャリア間隔は、6ギガヘルツ（GHz）以下の周波数に対するNR‐U OFDMヌメロロジーのための最も有力な候補である。
【０００６】
メディアアクセス制御（MAC）層と物理層との間を通るデータユニットは、トランスポートブロックと呼ばれる。物理レイヤは、スロット当たり1つ以上のトランスポートブロックを送信することができる。各トランスポートブロックは、それに取り付けられた巡回冗長検査（CRC）を有し、その結果、受信機は、トランスポートブロックが正しく復号されたか否かを判定することができる。符号化効率の理由から、大きなトランスポートブロックは、より小さなコードブロックにセグメント化される必要がある。ロングタームエボリューション（LTE）およびNRにおける、典型的な最大コードブロックサイズは、数千ビットの範囲にあるが、典型的な最大トランスポートブロックサイズは、数万ビットの範囲にある。トランスポートブロックがコードブロックに分割されると、各コードブロックにもCRC が付加される。
【０００７】
従来、3GPPで開発された無線アクセス技術は、トランスポートブロックごとにハイブリッド自動再送要求（HARQ）フィードバックを採用してきた。すなわち、たとえ単一のコードブロックだけが誤っていても、受信機がその情報を送信機に伝える方法がない。したがって、送信機は、（おそらく異なる冗長バージョンを使用して）トランスポートブロック全体を再送信する以外に選択肢を有さない。この状況を改善するために、NRは、コードブロックグループフィードバックと呼ばれるメカニズムを導入した。名前からわかるように、コードブロックはグループ化され、コードブロックのグループごとにフィードバックが送信される。NR基地局（gNB）は、コードグループのサイズでUEを構成（設定）できる。各コードブロックグループは、潜在的に、異なる変調および符号化を有することができる。
【０００８】
免許が不要なスペクトルで動作しているとき、世界中の多くの地域では、送信前に媒体が空いていることをセンス（検知）するデバイスが必要とされている。この動作は、しばしば、リッスンビフォアトーク（LBT）と呼ばれる。デバイスがどの無線技術を使用し、どのタイプのデータをその時点で送信したいかに応じて、LBTには多くの異なるバリエーションがある。LBTのすべてのバリエーションに共通することは、検知が、特定のチャネル（定義されたキャリア周波数に対応する）において、および、事前定義された帯域幅にわたって行われることである。例えば、5GHz帯域では、20メガヘルツ（MHz）チャネルで検知が行われる。
【０００９】
多くのデバイスは、単一のチャネルの帯域幅よりも広い帯域幅にわたって送信（および受信）することができる。デバイスは、媒体が空いていると検知されるチャネル上でのみ送信することができる。この場合も、複数のチャネルが関与する場合にどのように検知を行うべきかについて様々な手法が存在する。
【００１０】
原則として、デバイスが複数のチャネル上で動作することができる場合、2つの方法がある。1つの方法は、どのチャネルがフリー（空き）として検知されたかに応じて、送信機／受信機の帯域幅が変更されることである。このセットアップでは、1つの処理チェーンのみが存在し、複数のチャネルは、より大きな帯域幅を有する1つのチャネルとして扱われる。もう1つの方法は、デバイスが各チャネルに対してほぼ独立した処理チェーンを動作させることである。2つの処理チェーンがどの程度独立しているかに応じて、このオプションは、キャリアアグリゲーション（CA）またはデュアルコネクティビティ（二重接続性）のいずれかと呼ばれうる。
【００１１】
最大チャネル占有時間（MCOT）の概念によれば、gNBは、長いLBTを完了した後に、UEからのアップリンク送信とそのチャネルを占有することをシェア（共有）することを許可される。共有MCOT概念の導入に伴う1つの主な目標は、アップリンクにおける送信の前に長いLBTを実行するUEの必要性を最小限に抑えることである。スケジュールされたUEは、ダウンリンク送信の直後に短いLBTを実行することができる。この概念についての他の呼び名は「送信機会（TxOP）」である。様々なユースケースに対するTxOPの最大長は、ヨーロッパ電気通信標準化機関（ETSI）のブロードバンド無線アクセスネットワーク（BRAN）によって定義されている。
【００１２】
ETSI の規制によれば、5GHz 帯域のパワースペクトル密度（PSD） について、1MHz あたりで10 デシベル− ミリワット（dBm） の制限が義務付けられている。ETSI規制は、送信バーストにわたる平均の等価等方放射電力（EIRP）となるべき、電力密度を定義する。より小さな割り当てに対してフルで出力電力を使用するために、ブロックインターリーブド周波数分割多元接続（BI−FDMA）アプローチが使用可能である。図1は、NR−Uのインターレースデザインの一例である。帯域幅は20MHzであり、サブキャリア間隔は60kHzと仮定されており、ガードバンドを考慮した後での、有効なPRBの総数は24個であり、各PRBは12個のサブキャリアからなる。これらのPRBは、N＝3のインターレースに分割され、各インターレースは、M＝8の等間隔のPRBからなる。このデザインは、占有帯域幅と送信電力スペクトル密度に関する規制要件を満たすことと、リソース割当てシグナリングに必要となるオーバーヘッドと、信号のシングルキャリア特性における劣化との間の良好なトレードオフを提供する。
【発明の概要】
【００１３】
免許が不要なスペクトルの効率的な使用のためのシステムおよび方法が開示される。LBT（リッスンビフォアトーク）を必要とする周波数スペクトルで送信を実行するために送信機によって実行される方法の実施形態が開示される。いくつかの実施形態によれば、LBTを必要とする周波数スペクトルにおいて送信を実行するために送信ノードによって実行される方法は、送信ノードの送信帯域幅内の複数のチャネルに対してLBTプロシージャを実行することを有し、送信帯域幅は、複数のチャネルに対応する複数の帯域幅部分に分割される。本方法は、複数のチャネルについて実行されるLBTプロシージャの結果に基づいて、利用可能であると判定された複数のチャネルのサブセットに対応する複数の帯域幅部分のサブセットで送信信号を送信することをさらに有する。送信信号を送信することは、複数の帯域幅部分のサブセット上で送信信号を送信するためにキャリアアグリゲーションおよび／またはキャリアマージを使用し、複数の帯域幅部分のサブセットの中から2つ以上の隣接する帯域幅部分の間の1つ以上のガードバンドにおいてリソースを使用する送信方式に従って送信信号を送信することを有する。このようにして、周波数スペクトルの効率的な使用が提供される。
【００１４】
いくつかの実施形態によれば、複数のチャネルのサブセットは、少なくとも2つのチャネルを有し、複数の帯域幅部分のサブセットで送信信号を送信することは、キャリアアグリゲーション方式に従って複数の帯域幅部分のサブセットで送信信号を送信することを有する。
【００１５】
いくつかの実施形態によれば、複数のチャネルのサブセットは、複数のチャネルからの少なくとも2つの隣接するチャネルを有し、複数の帯域幅部分のサブセットで送信信号を送信することは、少なくとも2つの隣接する帯域幅部分をマージし、少なくとも2つの隣接する帯域幅部分の間の少なくとも1つのガードバンドにおいて少なくともいくつかのリソースを利用するキャリアマージ化方式に従って、少なくとも2つの隣接するチャネルに対応する少なくとも2つの隣接する帯域幅部分で送信信号を送信することを有する。いくつかの他の実施形態によれば、複数の帯域幅部分内のリソースは、複数のインターレースに論理的に分割され、複数のチャネルのサブセットは、複数のチャネルからの少なくとも2つの隣接するチャネルを有する。さらに、複数の帯域幅部分のサブセットで送信信号を送信することは、少なくとも2つの隣接する帯域幅部分をマージし、少なくとも2つの隣接する帯域幅部分の間の少なくとも1つのガードバンドにおいて少なくともいくつかのリソースを利用するキャリアマージ化方式に従って、少なくとも2つの隣接するチャネルに対応する少なくとも2つの隣接する帯域幅部分で複数のインターレースのうちの1つ以上を使用して送信信号を送信することを有し、少なくとも1つのガードバンドにおける少なくともいくつかのリソースは、送信信号が送信される1つ以上のインターレースのうちの少なくとも1つに割り当てられるリソースを有する。さらに、いくつかの実施形態によれば、複数のチャネルのサブセットは、少なくとも2つの隣接するチャネルに隣接していない複数のチャネルからの少なくとも1つのチャネルをさらに有し、複数の帯域幅部分のサブセットで送信信号を送信することは、（a）キャリアマージ化方式に従ってマージされる少なくとも2つの隣接するチャネルに対応する少なくとも2つの隣接する帯域幅部分と、（b）キャリアアグリゲーション方式に従って、少なくとも2つの隣接する帯域幅部分に隣接していない少なくとも1つのチャネルに対応する少なくとも1つの帯域幅部分とで、送信信号を送信することをさらに有する。
【００１６】
いくつかの実施形態によれば、複数のチャネルのサブセットは、複数のチャネルからの少なくとも2つの隣接するチャネルを有し、複数の帯域幅部分のサブセットで送信信号を送信することは、少なくとも2つの隣接する帯域幅部分の間の1つ以上のガードバンドにおいて少なくともいくつかのリソースを利用するキャリアアグリゲーション方式に従って、少なくとも2つの隣接するチャネルに対応する少なくとも2つの隣接する帯域幅部分で送信信号を送信することを有する。
【００１７】
いくつかの実施形態によれば、複数の帯域幅部分内のリソースは、複数のインターレースに論理的に分割され、複数のチャネルのサブセットは、複数のチャネルからの少なくとも2つの隣接するチャネルを有する。さらに、複数の帯域幅部分のサブセットで送信信号を送信することは、送信信号が送信される1つ以上のインターレースのうちの少なくとも1つに割り当てられる少なくとも2つの隣接する帯域幅部分の間の1つ以上のガードバンドにおいて少なくともいくつかのリソースを利用するキャリアアグリゲーション方式に従って、少なくとも2つの隣接するチャネルに対応する少なくとも2つの隣接する帯域幅部分において複数のインターレースのうちの1つ以上を使用して送信信号を送信することを有する。
【００１８】
いくつかの実施形態によれば、送信方式は、複数の帯域幅部分の各々において複数のインターレースを定義するインターレースデザインを利用し、特定のインターレースに割り当てられたガードバンドの少なくとも1つのリソースは、複数の帯域幅部分内の対応するインターレースを占有する同じ無線デバイスに割り当てられる。
【００１９】
いくつかの実施形態によれば、送信方式は、複数の帯域幅部分のそれぞれにおいて複数のインターレースを定義するインターレースデザインを利用し、当該インターレースデザインは、複数の帯域幅部分における複数のインターレース間にサブキャリアレベルのアライメント（位置調整）が存在するように、複数の帯域幅部分のうちの少なくとも1つのための中心周波数をオフセットする。
【００２０】
いくつかの実施形態によれば、送信方式は、複数の帯域幅部分のそれぞれにおいて複数のインターレースを定義するインターレースデザインを利用し、当該インターレースデザインは、複数の帯域幅部分での複数のインターレース間に物理リソースブロック（PRB）レベルでのアライメントが存在するように、複数の帯域幅部分のうちの少なくとも1つの中心周波数をオフセットする。
【００２１】
いくつかの実施形態によれば、送信信号を生成するとき、送信ノードの送信帯域幅をサポートすることができる高速フーリエ変換（FFT）のサイズが、複数のチャネルのためのLBTプロシージャの、考えうるすべての結果のために、使用される。
【００２２】
ある実施形態によれば、送信ノードの最大サポート帯域幅は、送信ノードに対して事前に構成されるか、または送信ノードにシグナリングされる。
【００２３】
いくつかの実施形態によれば、送信ノードは、無線デバイスであり、本方法は、ネットワークノードから、符号化速度（コードレート）、変調次数、および送信のために使用される少なくとも1つのインターレースについてのシグナリングを受信することをさらに有する。いくつかの実施形態によれば、本方法は、複数のチャネルについて実行されるLBTプロシージャによって決定されるような利用可能なチャネルの数、および／または、隣接する利用可能なチャネル間のガードバンドにおける余分なリソースがアップリンク送信のために使用されるべきかどうか、に基づいて、送信のためのトランスポートブロックサイズを適応させることをさらに有する。
【００２４】
いくつかの他の実施形態によれば、LBTを必要とする周波数スペクトルで送信を実行するために送信ノードによって実行される方法は、送信ノードの送信帯域幅内の複数のチャネルに対してLBTプロシージャを実行することを有し、当該送信帯域幅は、複数のチャネルに対応する複数の帯域幅部分に分割される。本方法は、送信機会（TxOP）の第1の部分の期間において、複数のチャネルについて実行されたLBTプロシージャの結果に基づいて、利用可能であると判定された複数のチャネルのサブセットに対応する複数の帯域幅部分のサブセットで送信することをさらに有する。TxOPの第1の部分の期間において送信することは、隣接する帯域幅部分の間のガードバンド内のリソースを利用しない第1の送信方式に従って、TxOPの第1の部分の期間で送信することを有する。本方法は、TxOPの第2の部分の期間において、複数の帯域幅部分のサブセットで送信することをさらに有し、TxOPの第2の部分の期間で送信することは、互いに隣接する複数の帯域幅部分のサブセットのうちの2つ以上の間の1つ以上のガードバンド内のリソースを利用する第2の送信方式に従って、TxOPの第2の部分の期間で送信することを有する。いくつかの実施形態によれば、第1の送信方式および第2の送信方式は、複数の帯域幅部分のそれぞれにおいて複数のインターレースを定義するインターレースデザインを利用する。
【００２５】
いくつかの実施形態によれば、第1の送信方式は、利用可能であると判定された複数のチャネルのサブセットに対応する複数の帯域幅部分のサブセットにおいて、TxOPの第1の部分の期間で送信するために利用されるキャリアアグリゲーション方式である。いくつかの実施形態によれば、第2の送信方式は、キャリアアグリゲーション方式と、キャリアマージ化方式との組合せであり、利用可能であると判定された複数のチャネルのサブセットに対応する複数の帯域幅部分のサブセットにおけるTxOPの第2の部分の期間と、互いに隣接する複数の帯域幅部分のサブセットのうちの2つ以上の間の1つ以上のガードバンド内のリソースと、で送信するために利用される。いくつかの他の実施形態によれば、第2の送信方式は、利用可能であると判定された複数のチャネルのサブセットに対応する複数の帯域幅部分のサブセットにおけるTxOPの第2の部分の期間で送信するために利用されるキャリアアグリゲーション方式である。いくつかの他の実施形態によれば、第2の送信方式は、利用可能であると判定された複数のチャネルのサブセットに対応する複数の帯域幅部分のサブセットにおけるTxOPの第2の部分の期間で送信するために利用されるキャリアマージ化方式である。
【００２６】
いくつかの実施形態によれば、第1の送信方式は、利用可能であると判定された複数のチャネルのサブセットに対応する複数の帯域幅部分のサブセットにおけるTxOPの第1の部分の期間で送信するために利用されるキャリアアグリゲーション方式であり、第2の送信方式は、利用可能であると判定された複数のチャネルのサブセットに対応する複数の帯域幅部分のサブセットにおけるTxOPの第2の部分の期間で送信するために利用されるキャリアマージ化方式である。
【００２７】
いくつかの実施形態によれば、本方法は、LBTプロシージャを完了する前に、TxOPの第1の部分の期間で送信のためのトランスポートブロックを生成することと、TxOPの第1の部分の期間で送信のためのトランスポートブロックを複数の帯域幅部分にマッピングすることとをさらに有する。いくつかの実施形態によれば、方法は、LBTプロシージャを完了した後に、TxOPの第2の部分の期間で送信するためのトランスポートブロックを生成することと、TxOPの第2の部分の期間で送信するためのトランスポートブロックを、利用可能であると判定された複数のチャネルのサブセットに対応する複数の帯域幅部分のサブセットにマッピングすることとをさらに有する。
【００２８】
いくつかの実施形態によれば、方法は、LBTプロシージャを完了する前に、TxOPの第1の部分およびTxOPの第2の部分の両方の期間で送信するためのコードブロックを生成することと、当該コードブロックを複数の帯域幅部分にマッピングすることとをさらに有し、第1の送信方式および第2の送信方式は、利用可能であると判定された複数のチャネルのサブセットに対応する複数の帯域幅部分のサブセットにおけるTxOPのそれぞれの部分の期間で送信するために、キャリアマージ化、または、キャリアアグリゲーションおよびキャリアマージ化の組合せ、を利用する。
【００２９】
いくつかの実施形態によれば、TxOPの第1の部分とTxOPの第2の部分との間の切り替えポイントのタイミングが事前構成される。
【００３０】
LBTを必要とする周波数スペクトルで送信信号を受信するために受信機によって実行される方法の実施形態も開示される。いくつかの実施形態によれば、LBTを必要とする周波数スペクトルで送信信号を受信するために受信機によって実行される方法は、送信ノードから、送信に利用可能な送信ノードの送信帯域幅内の複数のチャネルのサブセットに対応する送信ノードの送信帯域幅の複数の帯域幅部分のサブセットにおける送信信号を受信することを有する。送信信号を受信することは、それぞれの送信方式に従って送信信号を受信することを有し、当該送信方式は、複数の帯域幅部分のサブセットで送信信号を送信するためにキャリアアグリゲーションおよび／またはキャリアマージを利用し、複数の帯域幅部分のサブセットの中から2つ以上の隣接する帯域幅部分の期間である1つ以上のガードバンド中のリソースを利用する。
【００３１】
いくつかの実施形態によれば、本方法は、送信ノードを事前設定すること、または送信ノードの送信のために送信ノードによって使用されるべき少なくとも1つのインターレースを示す1つ以上のパラメータを用いて送信ノードにコンフィギュレーション（構成）をシグナリングすることをさらに有する。
【００３２】
いくつかの実施形態によれば、本方法は、送信ノードの送信帯域幅内の複数のチャネルを有するチャネルのセットに対してLBTプロシージャを実行し、それによって、送信ノードの送信帯域幅内の複数のチャネルの中から2つ以上の利用可能なチャネルを決定し、送信ノードに、2つ以上の利用可能なチャネルのインジケーションをシグナリングすることをさらに有する。
【００３３】
いくつかの実施形態によれば、送信信号は、受信機からの関連する送信信号によるチャネルの占有を共有する。
【００３４】
いくつかの他の実施形態によれば、LBTを必要とする周波数スペクトルで送信信号を受信するために受信機によって実行される方法は、当該送信信号のために利用可能な送信ノードの送信帯域幅内の複数のチャネルのサブセットに対応する送信ノードの送信帯域幅の複数の帯域幅部分のサブセットにおけるTxOPの第1の部分の期間で送信ノードから送信信号の第1の部分を受信することを有する。TxOPの第1の部分の期間での送信信号の第1の部分は、隣接する帯域幅部分の間のガードバンド内のリソースを利用しない第1の送信方式に従う。本方法は、複数の帯域幅部分のサブセットにおけるTxOPの第2の部分の期間で送信ノードから送信信号の第2の部分を受信することをさらに有し、TxOPの第2の部分の間の送信信号の第2の部分は、互いに隣接する複数の帯域幅部分のサブセットのうちの2つ以上の間の1つ以上のガードバンド内のリソースを利用する第2の送信方式に従う。
【００３５】
いくつかの実施形態によれば、本方法は、TxOPの第1の部分とTxOPの第2の部分との間の切り替えポイントのタイミングを示すインジケーションを送信ノードにシグナリングすることをさらに有する。
【００３６】
送信ノードの実施形態および受信ノードの実施形態も開示される。
【図面の簡単な説明】
【００３７】
本明細書に組み込まれ、その一部を形成する添付の図面は、本開示のいくつかの態様を示し、説明とともに本開示の原理を説明するのに役立つ。
【図１】図1は、ニューレディオアンライセンスド（免許不要新無線）（NR-U）のためのインターレースデザインの実例を示す。
【図２】図2は、本開示のいくつかの実施形態によるセルラー通信ネットワークの一例を示す。
【図３】図3は、本開示の一実施形態によるインターレースデザインの一例を示す。
【図４】図4は、本開示の別の実施形態によるインターレースデザインの例を示す。
【図５】図5は、本開示の別の実施形態によるインターレースデザインの例を示す。
【図６】図6は、本発明のいくつかの実施形態による基地局および無線デバイスの動作を示す。
【図７】図7は、本発明のいくつかの他の実施形態による送信機（すなわち、送信ノード）および受信機（すなわち、受信ノード）の動作を示す。
【図８】図8〜図11は、第1の部分と第2の部分とに分割された送信機会（TxOP）の実施形態と、それぞれの送信方式とを示す。
【図９】図8〜図11は、第1の部分と第2の部分とに分割された送信機会（TxOP）の実施形態と、それぞれの送信方式とを示す。
【図１０】図8〜図11は、第1の部分と第2の部分とに分割された送信機会（TxOP）の実施形態と、それぞれの送信方式とを示す。
【図１１】図8〜図11は、第1の部分と第2の部分とに分割された送信機会（TxOP）の実施形態と、それぞれの送信方式とを示す。
【図１２】図12は、本発明のいくつかの他の実施形態による送信機（すなわち、送信ノード）および受信機（すなわち、受信ノード）の動作を示す。
【図１３】図13は、本発明のいくつかの実施形態による基地局および無線デバイスの動作を示す。
【図１４】図14〜図16は、無線アクセスノード（例えば、基地局）の例示的な実施形態を示す。
【図１５】図14〜図16は、無線アクセスノード（例えば、基地局）の例示的な実施形態を示す。
【図１６】図14〜図16は、無線アクセスノード（例えば、基地局）の例示的な実施形態を示す。
【図１７】図17および図18は、無線デバイスの例示的な実施形態を示す。
【図１８】図17および図18は、無線デバイスの例示的な実施形態を示す。
【図１９】図19は、本発明のいくつかの実施形態による通信システムを示す。
【図２０】図20は、本開示のいくつかの実施形態による、ユーザ装置デバイス（UE）、基地局、およびホストコンピュータを示す。
【図２１】図21〜図24は、本発明の様々な実施形態による通信システムにおいて実施される方法を示すフローチャートである。
【図２２】図21〜図24は、本発明の様々な実施形態による通信システムにおいて実施される方法を示すフローチャートである。
【図２３】図21〜図24は、本発明の様々な実施形態による通信システムにおいて実施される方法を示すフローチャートである。
【図２４】図21〜図24は、本発明の様々な実施形態による通信システムにおいて実施される方法を示すフローチャートである。
【発明を実施するための形態】
【００３８】
一般に、本明細書で使用されるすべての用語は、異なる意味が明確に与えられ、かつ/またはそれが使用される文脈から暗示されない限り、関連する技術分野におけるそれらの通常の意味に従って解釈されるべきである。a/an/the要素、装置、構成要素、手段、ステップなどへの言及はすべて、特に明記しない限り、要素、装置、構成要素、手段、ステップなどの少なくとも1つのインスタンスを指すものとして開放的に解釈されるべきである。本明細書に開示される任意の方法のステップは、ステップが別のステップの後または前として明示的に記載されていない限り、および/またはステップが別のステップの後または前になければならないことが暗黙的でない限り、開示される正確な順序で実行される必要はない。本明細書に開示される実施形態のいずれかの任意の特徴は、適切な場合には、任意の他の実施形態に適用されてもよい。同様に、任意の実施形態の任意の利点は、任意の他の実施形態に適用することができ、その逆も同様である。添付の実施形態の他の目的、特徴、および利点は、以下の説明から明らかになるであろう。
【００３９】
以下に記載される実施形態は、当業者が実施形態を実施し、実施形態を実施する最良の形態を示すことを可能にする情報を表す。添付の図面に照らして以下の説明を読むと、当業者は、本開示の概念を理解し、本明細書で特に対処されないこれらの概念の適用を認識するであろう。これらの概念およびアプリケーションは、本開示の範囲内にあることを理解されたい。
【００４０】
無線ノード：ここで使用されるように、「無線ノード」は無線アクセスノードまたは無線デバイスのいずれかである。
【００４１】
無線アクセスノード：本明細書で使用されるように、「無線アクセスノード」または「無線ネットワークノード」は、信号を無線で送信および／または受信するように動作するセルラー通信ネットワークの無線アクセスネットワーク（RAN）におけるいずれかのノードである。無線アクセスノードのいくつかの例は、基地局（例えば、第三世代パートナーシッププロジェクト（3GPP）の第五世代（5G）NRネットワークにおけるニューレディオ（NR）基地局（gNB）、または3GPP LTE(ロングタームエボリューション)ネットワークにおける拡張または進化型ノードB（eNB））、高電力またはマクロ基地局、低電力基地局（例えば、マイクロ基地局、ピコ基地局、ホームeNBなど）、および中継ノードを含むが、これらに限定されない。
【００４２】
コアネットワークノード：ここで使用されるように、「コアネットワークノード」は、コアネットワーク内の任意の種類のノードである。コアネットワークノードの例としては、例えば、モビリティマネジメントエンティティ（MME）、パケットデータネットワークゲートウェイ（P−GW）、サービスケイパビリティエクスポージャーファンクション（能力公開機能）（SCEF）等が挙げられる。
【００４３】
無線デバイス：本明細書で使用されるように、「無線デバイス」は、無線アクセスノードに信号を無線で送信および／または受信することによってセルラー通信ネットワークにアクセスする（すなわち、セルラー通信ネットワークによってサービスされる）任意の種類の装置である。無線デバイスのいくつかの事例は、3GPPネットワーク内のユーザ装置デバイス（UE）およびマシンタイプ通信（MTC）装置を含むが、これらに限定されない。
【００４４】
ネットワークノード：本明細書で使用される「ネットワークノード」は、RANの一部であるか、またはセルラー通信ネットワーク／システムのコアネットワークにおける任意のノードである。
【００４５】
本明細書で与えられる記述は、3GPPセルラー通信システムに焦点を当てられており、したがって、3GPP用語または3GPP用語に類似する用語がしばしば使用されることに留意されたい。しかしながら、本明細書で開示される概念は、3GPPシステムに限定されない。
【００４６】
本明細書の説明では、「セル」という用語が参照されることがあるが、特に5G NR概念に関しては、セルの代わりにビームを使用することができ、したがって、本明細書で説明する概念がセルおよびビームの両方に等しく適用可能であることに留意することが重要であることに留意されたい。
【００４７】
背景技術の項で上述されたように、原則として、デバイスが複数のチャネル上で動作することができる、2つの方法がある。1つの方法（以下、「第1のオプション」という）は、空いていると検知されたチャネルに応じて送受信機の帯域幅を変更することであり、このセットアップでは、1つの処理チェーンのみが存在し、複数のチャネルは、より大きな帯域幅を有する1つのチャネルとして扱われる。もう1つの方法（以下、「第2のオプション」という）は、デバイスが、チャネルごとにほぼ独立した処理チェーンを動作させることである。2つの処理チェーンがどの程度独立しているかに応じて、このオプションは、キャリアアグリゲーション（CA）またはデュアルコネクティビティのいずれかと呼ばれうる。
【００４８】
現在、ある種の課題が存在する。この点に関して、いくつかの問題を以下に説明する。
【００４９】
第1の問題：デバイスが第1のオプションを使用するとき、すなわち、デバイスが1つの処理チェーンを使用し、より広い帯域幅を有する1つのチャネルとして複数のチャネルを扱うとき、いくつかのチャネルが空いていると検知されない場合に問題が生じる。特に、チャネルセンシングが行われてから、送信機がその送信を開始する必要があるまでの時間は、一般的に非常に短い。欧州電気通信標準化機関（ETSI）の規則によれば、送信機は、チャネルセンシング後16マイクロ秒（us）以下で送信を開始する必要がある。そうでなければ、再びチャネルセンシングを実行しなければならない。これは、送信機が利用可能なチャネルに一致するように送信することを計画したトランスポートブロックを再符号化するための余地をほとんど残さない。
【００５０】
デバイスが第2のオプションを使用するとき、すなわち、デバイスが複数の処理チェーンを使用し、複数のチャネルを独立したチャネルとして扱うとき、デバイスは、複数の処理チェーンを装備しなければならない。さらに、複数のチャネルが独立したチャネルとして扱われるため、デバイスは、それらの間にいくつかのガードバンドを確保するが、それらは、連続したチャネルが同じデバイスによって使用されるときに不必要かつ非効率的になる。
【００５１】
第1のオプションを使用することは、1つの処理チェーンのみが使用されるため、より少ない電力消費およびより単純な実装という利点を有するが、第2のオプションを使用することは、スケジューリングおよび再送信に関して、より多くの柔軟性を与える。
【００５２】
現在のインターレースデザインは、静的であり、固定帯域幅に合わせて調整されており、動的に変化する帯域幅をサポートしていない。したがって、送信オプションの両方をサポートし、連続するチャネルが同じデバイスによって使用されるときに利用可能な帯域幅の効率的な使用を可能にする柔軟なインターレースデザインが必要とされている。
【００５３】
さらに、インターレース送信が使用される場合、異なるデバイスは、同じ帯域幅部分（BWP）を共有することができる（異なるデバイスは、異なるインターレースを使用するが、同じ周波数範囲内にある）。異なるデバイスが、良好なインターレースデザインまたは事前構成なしに、隣接するチャネル間のガードバンドを同時に使用した場合、潜在的な競合が起こり得る。
【００５４】
第2の問題：デバイスが第1のオプションを使用するとき、すなわち、デバイスが1つの処理チェーンを使用し、より広い帯域幅を有する1つのチャネルとして複数のチャネルを扱うとき、いくつかのチャネルが空いていると検知されない場合に問題が生じる。特に、チャネルセンシングが行われてから、送信機がその送信を開始する必要があるまでの時間は、一般的に非常に短い。ETSIの規定によれば、送信機はチャネル検知後16 us以下で送信を開始する必要がある。そうでなければ、再びチャネルセンシングを実行しなければならない。これは、送信機が利用可能なチャネルに一致するように送信することを計画したトランスポートブロックを再符号化するための余地をほとんど残さない。
【００５５】
従来技術の方法を使用して、送信機は、ビジー（使用中）として検知されたチャネル上で送信しないように強制されるであろう。その場合、受信機は、トランスポートブロックを正しく復号することができず、したがって、否定応答（NACK）を送信機に送信することになる。次いで、送信機は、受信機からの応答を待ち、同じ問題が再び発生する可能性がある完全なトランスポートブロックを再び再送信しなければならない。
【００５６】
デバイスが第2のオプションを使用するとき、すなわち、デバイスが複数の処理チェーンを使用し、複数のチャネルを独立したチャネルとして扱うとき、デバイスは、複数の処理チェーンを装備しなければならない。さらに、複数のチャネルが独立したチャネルとして扱われるため、デバイスは、それらの間にいくつかのガードバンドを確保し、それらは、連続したチャネルが同じデバイスによって使用されるときに不必要かつ非効率的になる。
【００５７】
第1のオプションを使用することは、1つの処理チェーンのみが使用され、ガードバンドが必要とされないため、より良好なスペクトル利用が必要とされるため、より少ない電力コンセプトの利点を有し、一方、第2のオプションを使用することは、スケジューリングおよび再送信に関して、より高い柔軟性を与える。したがって、オプション1とオプション2との間で動的に切り替える方法が必要とされている。
【００５８】
本開示およびそれらの実施形態の特定の態様は、上記または他の課題に対する解決策を提供することができる。本明細書で開示される問題のうちの1つ以上に対処する様々な実施形態が、本明細書で提案される。
【００５９】
いくつかの実施形態によれば、異なる利用可能帯域幅で異なる送信オプションをサポートするために、インターレースデザインが提案され、利用され、いくつかの実施形態によれば、隣接するチャネル間の不必要なガードバンドが充たされる。
【００６０】
異なる利用可能な帯域幅に対して柔軟に適用できるインターレースデザインが提案され、利用される。提案されたインターレースデザインは、より良好な無線リソース利用（帯域幅、送信電力）およびより短い遅延を可能にする。
【００６１】
いくつかの実施形態によれば、送信機会（TxOP）が2つの部分に分割されるシステムおよび方法が開示される：
- LBT（リッスンビフォアトーク）後のTxOPの第1の部分では、空のガードバンドを有する高速かつ単純な送信方式が使用される。
- TxOPの第2の部分では、ガードバンドを充たす送信方式が使用される。
【００６２】
より広い帯域幅は、いくつかのBWPに分割される。デバイスは、BWPごとにLBTを実行し、次いで、利用可能なBWPに基づいて送信する。
【００６３】
各TxOPは、2つの部分に分割される：
- TxOPの第1の部分：デバイスは、BWP間のガードバンドを有する利用可能なBWPで、事前に準備されたトランスポートブロックを送信する。
- TxOPの第2の部分：デバイスは、新しい送信モードに切り替わり、隣接するBWP間のガードバンドを充たす。
【００６４】
特定の実施形態は、以下の技術的利点のうちの1つ以上を提供することができる：
- 提案された方法は、より良好な無線リソース利用およびより短い遅延を可能にする。隣接するチャネル間の不要なガードバンドを使用することができ、無線リソース（帯域幅、電力）をより効率的に使用することができる。
- いくつかの実施形態は、どのチャネルが空いているかが分かった後にトランスポートブロックを事後的に準備する代わりに、トランスポートブロックを事前に準備することができるため、処理要件が緩和される。
【００６５】
ここで、本明細書で企図される実施形態のいくつかを、添付の図面を参照してより完全に説明する。しかしながら、他の実施形態は、本明細書に開示された主題の範囲内に含まれ、開示された主題は、本明細書に記載された実施形態のみに限定されると解釈されるべきではなく、むしろ、これらの実施形態は、主題の範囲を当業者に伝えるために例として提供される。
【００６６】
図2は、本開示の実施形態を実施することができるセルラー通信ネットワーク200の一例を示す。本明細書で説明される実施形態によれば、セルラー通信ネットワーク200は、5G NRネットワークである。この例では、セルラー通信ネットワーク200は、基地局202-1および202-2を有し、LTEではeNBと呼ばれ、5G NRではgNBと呼ばれ、対応するマクロセル204-1および204-2を制御する。基地局202-1および202-2は、本明細書では、一般に、集合的に基地局202と呼ばれたり、個別に基地局202と呼ばれたりする。同様に、マクロセル204-1および204-2は、本明細書では、一般に、集合的にマクロセル204と呼ばれたり、個別にマクロセル204と呼ばれたりする。セルラー通信ネットワーク200はまた、対応する小セル208-1〜208-4を制御するいくつかの低電力ノード206-1〜206-4を有することができる。低電力ノード206-1〜206-4は、小型基地局（ピコまたはフェムト基地局など）または遠隔無線ヘッド（RRH）などとすることができる。特に、図示されていないが、小セル208-1〜208-4のうちの1つ以上は、代替的に、基地局202によって提供されてもよい。低電力ノード206-1〜206-4は、本明細書では一般に、集合的に低電力ノード206と呼ばれたり、個別に低電力ノード206と呼ばれたりする。同様に、小セル208-1〜208-4は、本明細書では一般に、小セル208と呼ばれたり、個別に小セル208と呼ばれたりする。基地局202（およびオプションで低電力ノード206）は、コアネットワーク210に接続される。
【００６７】
基地局202および低電力ノード206は、対応するセル204および208内の無線デバイス212-1〜212-5にサービスを提供する。無線デバイス212-1〜212-5は、本明細書では全体として無線デバイス212と呼ばれたり、個々に無線デバイス212と呼ばれたりする。無線デバイス212は、本明細書では、UEとも呼ばれることがある。
【００６８】
基地局202および／または低電力ノード206のいくつかでは、LBTを必要とする周波数スペクトル（例えば、免許が不要な周波数スペクトル）で動作する。
【００６９】
いくつかの実施形態を以下に記載する。別々に記載されているが、これらの実施形態は、任意の所望の組合せで使用可能である。
【００７０】
1 インターレースデザイン
【００７１】
インターレースデザインの実施形態を以下に説明し、本明細書では実施形態A1〜A7と呼ぶ。このインターレースデザインは、無線デバイス212（UEとも呼ばれる）によって利用され、無線デバイス212のアップリンク帯域幅内の複数チャネルでLBTプロシージャを実行した後で、特定のインターレースでアップリンク送信を実行する。いくつかの実施形態によれば、LBTプロシージャは、短いLBTプロシージャであり、基地局202または低電力ノード206は、アップリンク送信のために無線デバイス212と（例えば、MCOT(最大チャネル占有時間)コンセプトを介して）そのチャネル占有をシェア（共有）する。LBTプロシージャおよびMCOTコンセプトの詳細は、当業者にはよく知られており、したがって、本明細書ではさらには説明されない。
【００７２】
1.1 実施形態A1
【００７３】
実施形態A1では、無線デバイス212のより広いアップリンク帯域幅がいくつかのBWPに分割されるアップリンクCA送信のために、インターレースデザインが考慮される。インターレースは、各BWPに対してデザインされ、同じインターレースデザインが、すべてのBWPに対して使用される。
【００７４】
図3は、実施形態A1のインターレースデザインの一例を示す。このデザインには、隣接するBWP間のガードバンドが含まれる。隣接するBWP間のガードバンドは、網点塗りつぶしパターンを有するエリアによって表される。図示のように、各BWP内には、この例では3つのインターレースがある。さらに、この例では、LBTを使用して、無線デバイス212は、BWP1、BWP2、およびBWP5に対応するチャネルがアップリンク送信のために利用可能であることを判定する。無線デバイス212 は、CA を使用して、BWP1、BWP2、およびBWP5 内のそれぞれのインターレースを使用してアップリンク送信を実行する。
【００７５】
本明細書で説明される実施形態の多くについて、BWPごとに1つのLBTチャネルがあると仮定されることに留意されたい。しかし、本開示はこれに限定されない。例えば、BWPのうちの1つ以上は、2つ以上のLBTチャネルを有することができ、ここで、例えば、全ての関連するLBTチャネルが利用可能である（すなわち、空いている）と判定された場合、そのBWPが利用される。別の例として、1つのLBTチャネルは、2つ以上のBWPに広がって存在してもよい。
【００７６】
1.2 実施形態A2
【００７７】
実施形態A2では、連続した複数の（本明細書では隣接したとも呼ばれる）空きBWPがより広いBWPにマージされ、隣接したBWPのガードバンド内に余分な物理リソースブロック（PRB）が割り当てられる、キャリアマージ送信のためのインターレースデザインが提案される。キャリアマージは、しばしば、隣接するフリーのBWPをマージするものとして本明細書で説明されるが、送信信号のために、マージされたBWPに対応するキャリアがマージされ、マージされたBWPのためのシングル（単一の）キャリアを提供することが理解されるべきであることに留意されたい。次いで、このシングルキャリア（および場合によっては、CAを使用する非隣接のフリーなBWPのための追加のキャリア）を使用して、送信が実行される。
【００７８】
インターレースは、PRBユニットに基づいてデザイン（設計）されると仮定する。いくつかの実施形態によれば、PRBユニットは12個のサブキャリアである。しかしながら、いくつかの他の実施形態によれば、PRBユニットは、12個より多い、または、少ないサブキャリアであってもよい。2つの隣接するBWP間の不要なガードバンドを充たすために使用することができる余分なPRBの最大個数K1は、
K1＝floor（ガードバンド幅／PRB当たりの帯域幅）
として計算することができる。
【００７９】
例えば、20メガヘルツ（MHz）のBWP、60キロヘルツ（kHz）のサブキャリア間隔、および割り当てに利用可能な合計24個のPRBでは、ガードバンド幅は2，720kHzであり、各隣接するBWPのための余分なPRBの個数は、K1＝floor（2720／（12＊60)) =2である。
【００８０】
図4は、実施形態A2のインターレースデザインの一例を示す。この場合も、ガードバンドは、網点塗りつぶしパターンを有するエリアによって表される。図示のように、各BWP内には、この例では3つのインターレースがある。このデザインは、隣接するBWP間のガードバンドに、いくつかのオプションの追加のPRB（図4のインターレース1a、2a、3a）を有する。これらの任意の追加のPRBは、隣接するBWPが同じ無線デバイス212によってフリーであると検知された場合に使用可能となる。
【００８１】
異なったチャンネルの利用可能性を検知する異なった無線デバイス間での競合を回避するために、余分なPRB（図4のインターレース1a、2a、3a）は、対応するインターレース（図4のインターレース1、2、3）を占有する、同一の無線デバイスに割り当てることができる。
【００８２】
さらに、この例では、LBTを使用して、無線デバイス212は、BWP1、BWP2、およびBWP5に対応するチャネルがアップリンク送信のために利用可能であることを判定する。無線デバイス212は、キャリアマージとCAとの組合せを使用して、BWP1、BWP2、およびBWP5内のそれぞれのインターレースを使用してアップリンク送信を実行する。具体的には、キャリアマージは、BWP1およびBWP2のキャリアを、BWP12のためのマージされたキャリア（すなわち、マージされたBWP12にわたる単一のキャリア）にマージするために使用される。無線デバイス212は、CA方式を使用して（すなわち、BWP12のマージされたキャリアおよびBWP5のキャリアの両方を使用して）、BWP12およびBWP5の両方でアップリンク送信を送信する。
【００８３】
図4の例では、連続するBWP（BWP1およびBWP2）上の送信はキャリアマージであり、非連続のBWP（BWP12およびBWP5）はCAである。しかしながら、非連続的なBWPをマージし、それらでの送信のために1つの処理チェーンのみを使用することも可能である。
【００８４】
1.3 実施形態A3
【００８５】
実施形態A3では、実施形態A1と同様にCAを用いて送信を行っているが、同一の無線デバイス212が2つ（以上）の隣接するチャネルへのアクセスを取得している場合に、当該無線デバイス212が、ガードバンド内のインターレースのためにリソースブロック上でデータを送信する。1つのオプションでは、追加のPRBは、各BWPに等しく割り当てられることができる。複数のBWPの各側にある不要なガードバンドを充たすために使用可能な余分なPRBの最大個数K2は、
K2=floor(ガードバンド幅/(PRB当たりの帯域幅＊2））
である。
【００８６】
例えば、20MHzのBWP、60kHzのサブキャリア間隔、および割り当てに利用可能な合計24個のPRBでは、ガードバンド幅は2，720kHzであり、各隣接BWPのための余分なPRBの数はK1＝floor（2720／（2×12×60)) =1になる。
【００８７】
図5は、実施形態A3のインターレースデザインの一例を示す。この場合も、ガードバンドは、網点塗りつぶしパターンを有するエリアによって表される。図示のように、各BWP内には、この例では3つのインターレースがある。さらに、この例では、LBTを使用して、無線デバイス212は、BWP1、BWP2、およびBWP5に対応するチャネルがアップリンク送信のために利用可能であることを判定する。無線デバイス212 は、CA を使用して、BWP1、BWP2、およびBWP5 内のそれぞれのインターレースを使用してアップリンク送信を実行する。この実施形態によれば、無線デバイス212はまた、図5の例ではBWP1およびBWP2である、隣接するBWPのガードバンド内のそれぞれのインターレースのPRBを使用する。
【００８８】
別の選択肢は、余分なPRBが複数のBWPに不均等に割り当てられることである。ある1つのBWPは、他のBWPよりも多くの余分なPRBを得ることができる。このオプションでは、2つの隣接するBWP間の不要なガードバンドを充たすために使用することができる余分なPRBの最大個数を、実施形態A2ではK1として計算することができる。
【００８９】
1.4 実施形態A4
【００９０】
実施形態A4では、複数のBWPの中心周波数（または複数のインターレースの位置）をわずかにオフセットすることで、異なる複数のBWPにおける複数のインターレース間のサブキャリアレベルのアライメント（位置調整）をもたらすことができる。これは、異なる複数のBWPがマージされ、単一の処理チェーンのために使用されるとき、送信機におけるプロセッシング（処理）の実装を単純化することができる。このサブキャリア位置調整は、CA使用時のキャリア間干渉の回避や、ガードバンド内の複数またはすべてのサブキャリアを使用することによるスペクトル効率の向上にも役立つ。
【００９１】
各BWP内のインターレース（ガードバンド内の余分なPRBを除く）が依然として有効送信帯域領域内にあるように、すなわち複数のガードバンドに跨らないよう、オフセットの累積を回避するために、隣接する複数のBWPに対して異なる方向に、周波数オフセットが設けられる。これは、周波数オフセットが比較的小さい（サブキャリア間隔より小さい）ので実現可能である。
【００９２】
例えば、それぞれ20MHz幅の5つのBWPがあり、サブキャリアの間隔が60kHzである図3の例では、2つの隣接するBWP間の距離は333．33サブキャリアである。中心となるBWPの位置、すなわち、BWP3が固定されていると仮定すると、サブキャリア位置調整は、i）BWP2およびBWP4を0．33×60＝20kHzのオフセットだけBWP3に近づけ、ii）BWP1およびBWP5を（BWP3から遠い）他の方向に（1−0．33−0．33）×60＝20kHzのオフセットだけ移動させることによって達成することができる。
【００９３】
サブキャリア位置調整に加えて、またはサブキャリア位置調整の代替として、BWPの中心周波数（またはインターレースの位置）は、異なる複数のBWPにおける複数のインターレース間でのPRBレベル位置調整をもたらすように、オフセットされてもよい。言い換えれば、一例として図4を使用すると、BWPの中心周波数またはインターレースの位置は、BWP1の非ガードバンド部分とBWP2の非ガードバンド部分の隣接するエッジとの間の周波数オフセットがm PRBsに等しくなるようにオフセットすることが可能であり、ここでmは1以上の正の整数である。例えば、いくつかの実施形態によれば、各BWPのガードバンドは、m個のPRBに等しく、ここで、mは、1以上の正の整数である。PRBレベルでの位置調整に加えて、すべてのBWP内の同じインターレース（すなわち、同じインデックスを有するインターレース）のPRBが均一に分散されるように、各BWP内のインターレースのインデックスが循環シフトされてもよい。
【００９４】
1.5 実施形態A5
【００９５】
実施形態A5では、キャリアマージ送信が使用されるとき、大きな高速フーリエ変換（FFT）サイズ（すなわち、UEの最大アップリンク帯域幅をサポートすることができるFFTサイズ）が使用可能となり、すべての可能なLBT結果に対してサイズ不変となる。チャネルがビジーであるか、またはインターレースが他のUEに割り当てられる、あるサブキャリアでは、ゼロ電力／ヌルシンボルが、それらにマッピングされるようになる。
【００９６】
一例として、NR用に提案され、サブキャリア間隔60kHzの波形に対して最大200MHz帯域幅をサポートできる4，096のFFTサイズを示した。
【００９７】
1.6 実施形態A6
【００９８】
実施形態A6では、それぞれの無線デバイス212の最大サポート帯域幅は、アップリンクグラントを介して、無線デバイス212に事前に構成またはシグナリングされうる。前者のオプション（すなわち、事前構成）は、無線アクセスノード202（5G NRに対するgNB）におけるLBTの結果のために、それぞれの無線デバイスに対してサポートされるアップリンク帯域幅が変更される可能性があるため、必要なオーバーヘッドは少ないが、柔軟性が低い。
【００９９】
たとえば、図3 の例のように5つのBWP では、第1のオプションで、無線デバイス212が、BWP1 とBWP5 の間の使用可能なすべてのチャネルで送信が許可されるように、（たとえば、コネクションがセットアップされている場合は、無線デバイス212 の能力に基づいて）事前構成されている。次に、無線デバイス212は、無線アクセスノード202におけるセンシング結果にかかわらず、チャネルがそれらのBWP上で空いていることを検知した場合、BWP1、BWP3、およびBWP5上で送信する（および、アップリンクグラントは、許可された帯域幅を有する必要はない）。第2のオプションでは、許可されたBWPは、各アップリンクグラントにおいて、シグナリングされる。例えば、無線アクセスノード202が、（例えば、無線アクセスノード202におけるLBTの結果に起因して）BWP1およびBWP5上の無線デバイス212のみをアップリンクグラントによりスケジューリングする場合、無線デバイス212がBWP3上でもチャネルがフリーであることを検知したとしても、無線デバイス212はBWP1およびBWP5上でのみ送信することができる。これは、隠れノード問題を低減するのに役立つことができるが、アップリンクグラントにおいてより多くのオーバーヘッドを必要とする。
【０１００】
1.7 実施形態A7
【０１０１】
一実施形態によれば、無線アクセスノード202（5G NRにおけるgNB）は、符号化率、変調次数、およびどのインターレースを使用するかを、無線デバイス212にシグナリングする。次いで、無線デバイス212は、利用可能なチャネルの個数に基づいて、および／または、チャネルがガードバンド内に拡張されているかどうかに基づいて、トランスポートブロックサイズを適応させる。次に、無線アクセスノード202は、どのキャリア／リソースブロックで無線デバイス212が送信したかを検出し、それに応じてトランスポートブロックサイズを計算する。
【０１０２】
1.8 実施形態A1〜A7のインターレースデザインを利用するための例示的なプロセス
【０１０３】
図6は、本発明のいくつかの実施形態による基地局202（例えば、gNB）および無線デバイス212（例えば、UE）の動作を示す。この例では、実施形態A1〜A7のうちの1つ以上が利用される。また、低電力ノード206にも適用可能である。オプションのステップは、破線によって表される。さらに、ステップは、特定の順序で実行されるように示されているが、別段の説明がない限り、または必要とされない限り、ステップは、任意の所望の順序で実行されてもよく、いくつかのステップは、特定の実装形態に応じて並列に実行されてもよい。
【０１０４】
図示されるように、いくつかの実施形態によれば、基地局202は、無線デバイス212を構成するか、または、アップリンク送信のためにどのインターレース（複数可）を使用すべきか、および、いくつかの実施形態によれば、アップリンク送信のための符号化率および／または変調次数に関する構成を無線デバイス212にシグナリングする（ステップ600）。基地局202は、1つ以上のチャネル（例えば、インターレースデザインの複数のBWPに対応するチャネルを有する複数のチャネル）が送信のために利用可能であるかどうかを判定するために、LBTプロシージャを実行する（ステップ602）。いくつかの実施形態によれば、基地局202は、アップリンクグラントを無線デバイス212に送信する（ステップ604）。ステップ600のシグナリングは、いくつかの実施形態によれば、アップリンクグラントの一部であってもよいことに留意されたい。例えば、基地局202は、インターレースデザインのBWPに対応するマルチチャネル上でLBTを実行し、BWPのうちのどれのインジケーションがアップリンク送信のために無線デバイス212によって利用され得るかを無線デバイス212にシグナリングしてもよい。
【０１０５】
無線デバイス212において、無線デバイス212は、無線デバイス212のアップリンク帯域幅内の複数のチャネルに対してLBTプロシージャを実行する（ステップ606）。各々が異なったチャンネルに対応する5つのBWPが存在する図3の例を使用して、無線デバイス212は、それらのチャンネルの各々に対してLBTプロシージャを実行し、それによって、チャンネルが利用可能である（すなわち、空いている）かどうかを判定する。いくつかの実施形態によれば、基地局202がアップリンク送信のために無線デバイス212とそのチャンネル占有を共有する場合に、MCOTコンセプトが利用され、そのケースでは、LBTプロシージャは短いLBTプロシージャとなる。
【０１０６】
無線デバイス212は、インターレースデザイン（ステップ608）に従って、チャネルのサブセット（すなわち、利用可能なチャネルまたは利用可能なチャネルの一部のサブセット）内のインターレース上でアップリンク送信信号を送信する。インターレースデザインは、実施形態A1〜A7に関して上述したもののいずれか1つである。概して、インターレースデザインは、無線デバイス212の全アップリンク帯域幅を、LBTが実行された複数のチャネルに対応する複数のBWPに分割する。インターレースデザインは、各BWP に複数のインターレースも定義している。CAおよび／またはキャリアマージ化方式は、上述のように、利用可能なチャネルに対応する2つ以上のBWPにおいて適切なインターレース上でアップリンク送信信号を送信するために、無線デバイス212によって使用される。さらに、いくつかの実施形態によれば、隣接する複数のBWP間にあるガードバンドに位置する余分なリソースも、アップリンク送信のために使用されてもよい。
【０１０７】
基地局202は、アップリンク送信信号を受信する（ステップ610）。
【０１０８】
2 インターレース化を伴うまたは伴わないアップリンクまたはダウンリンク送信への実施形態A1〜A7の一般化
【０１０９】
図7は本開示のいくつかの他の実施形態による送信機および受信機の動作を示す図である。重要なことに、送信機／送信ノードを、送信回路（すなわち、例えば、アップコンバージョン回路、フィルタ、電力増幅器などを有する（1つ以上の）送信チェーン）から明確に区別するために、本明細書では送信機は「送信ノード」とも呼ばれることがあり、同様に、受信機／受信ノードを、受信回路（すなわち、例えば、低雑音増幅器、フィルタ、ダウンコンバージョン回路などを有する（1つ以上の）受信チェーン）から明確に区別するために、本明細書では受信機は「受信ノード」とも呼ばれることがある。いくつかの実施形態によれば、送信機は無線デバイス212であり、受信機は基地局202である。他のいくつかの実施形態によれば、送信機は基地局202であり、受信機は無線デバイス212である。一般に、図7のプロセスは、図6のプロセスと同様であるが、プロセスは、インターレースを伴うまたは伴わないアップリンク送信またはダウンリンク送信のいずれかを有するように一般化される。したがって、図7のプロセスはまた、実施形態A1〜A7の態様の少なくともいくつかを、インターレースが使用されないシナリオに拡張する。言い換えると、実施形態A1〜A7の態様の多くは、インターレースを使用しなくても、適用可能である。オプションのステップは、破線によって表される。さらに、ステップは、特定の順序で実行されるように示されているが、別段の説明がない限り、または必要とされない限り、ステップは、任意の所望の順序で実行されてもよく、いくつかのステップは、特定の実装形態に応じて並列に実行されてもよい。
【０１１０】
図示されているように、送信機は、送信機の送信帯域幅内の複数チャネルでLBTプロシージャを実行する（ステップ700）。それぞれが異なるチャネルに対応する5つのBWPがある図3の例を使用すると、送信機は、それらのチャネルのそれぞれに対してLBTプロシージャを実行し、それによって、チャネルが利用可能かどうか（すなわち、フリーかどうか）を判定する。いくつかの実施形態によれば、LBTプロシージャは、短いLBTプロシージャである（例えば、MCOTコンセプトが利用される場合）。いくつかの他の実施形態によれば、LBTプロシージャは、ノーマルの（正常）、または、長いLBTプロシージャである。
【０１１１】
送信機は、（A）送信に使用される利用可能なチャネル／BWPを集約するためにCAを使用し、および／または、送信に使用される利用可能なチャネル／BWPの少なくともいくつかをマージする送信方式に従って、チャネルのサブセット（すなわち、利用可能なチャネルまたは利用可能なチャネルのいくつかのサブセットに対応するBWP）で、送信信号を送信する（ステップ702）。例えば、送信方式は、隣接する利用可能なチャネル／BWPをマージし、必要であれば、CAを使用して、非隣接の利用可能なチャネル／（マージされた) BWPを集約することができる。別の例として、送信方式は、利用可能なすべてのチャネル／BWPをマージしてもよい。さらに、いくつかの実施形態によれば、送信方式は、隣接する利用可能なチャネル／BWP間のガードバンド（複数可）内の余分なリソースのうちの少なくともいくつかを利用する。CA、キャリアマージ、および隣接する利用可能なチャネル／BWP間にあるガードバンドにおける余分なリソースの使用は、実施形態A1〜A7に関して上述された方法のいずれかで、ただしインターレース化を用いて、または用いずに行うことができる。インターレースを使用しない場合、方式は、実施形態A1〜A7について上述したものと実質的に同じであるが、ただ1つのインターレースしかない。
【０１１２】
受信機は送信信号を受信する（ステップ704）。
【０１１３】
3 TxOPの複数部分への分割
【０１１４】
TxOPが2つの部分に分割される実施形態も本明細書に開示される。LBT後のTxOPの第1の部分では、充たされていない（空の）ガードバンドを有する高速かつ単純な送信方式が使用される。TxOPの第2の部分では、ガードバンドを充たす送信方式が使用される。
【０１１５】
より広い帯域幅は、例えば上述のように、いくつかのBWPに分割される。デバイスは、BWPごとにLBTを実行し、次いで、利用可能なBWPに基づいて送信する。
【０１１６】
いくつかの実施形態によれば、各TxOPは2つの部分に分割される。TxOPの第1の部分では、送信機は、事前に準備されたトランスポートブロックを、複数のBWP間にあるガードバンドを有した利用可能なBWP上で送信する。TxOPの第2の部分では、送信機は、隣接する利用可能な複数のBWP間にあるガードバンド内の余分なリソースが利用される新しい送信モードに切り替わる。送信機は、アップリンクの実施形態によれば無線デバイス212であってもよく、ダウンリンクの実施形態によれば基地局202であってもよい。
【０１１７】
この点に関して、TxOPの第1の部分およびTxOPの第2の部分に関して、いくつかの実施形態を以下に説明する。これらの実施形態は、本明細書では、実施形態B1〜B6と呼ばれる。別段の指示がない限り、これらの実施形態は、単独で、または任意の所望の組合せで使用することができる。
【０１１８】
3.1 実施形態B1
【０１１９】
実施形態B1では、LBT後のTxOPの第1の部分において、送信機はCA送信を使用する。TxOPの第2の部分では、送信機は、CAからキャリアマージ化送信方式に切り替わる。
【０１２０】
例えば、いくつかの実施形態によれば、送信機は、無線デバイス212であり、無線デバイス212は、TxOPの第1の部分のために、例えば、実施形態A1のインターレースデザインに従ったCA送信方式を使用する。しかしながら、TxOPの第1の部分のために、他のCA送信方式が使用されてもよい。さらに、インターレース化は、使用されてもされなくてもよい。TxOPの第2の部分について、無線デバイス212は、CA送信方式からキャリアマージ化方式（例えば、実施形態A2のインターレースデザインを使用するキャリアマージ化方式）に切り替わる。しかしながら、他のキャリアマージ化方式が使用されてもよい。さらに、インターレースは、使用されてもされなくてもよい。いくつかの実施形態によれば、キャリアマージ送信方式を使用するとき、隣接するマージされた複数のBWP間にあるガードバンド内のリソースのうちの少なくともいくつかが、送信のために使用される。
【０１２１】
別の例として、いくつかの他の実施形態によれば、送信機は基地局202であり、基地局202は、ダウンリンクシステム帯域幅内の複数チャネルの各々に対してLBTプロシージャを実行することによって決定されるように、空き（すなわち、利用可能である）チャネルに対応するダウンリンクシステム帯域幅のBWP上でTxOPの第1の部分のためのデータを送信するためにCA送信方式を使用する。TxOPの第2の部分では、基地局202は、CA送信方式からキャリアマージ送信方式に切り替わる。キャリアマージ化方式は、隣接する利用可能な複数のBWPをマージし、必要に応じて、隣接しない利用可能な複数のBWPのためにCAを使用する。いくつかの実施形態によれば、キャリアマージ送信方式を使用するとき、隣接するマージされた複数のBWP間にあるガードバンド内のリソースのうちの少なくともいくつかが、送信のために使用される。
【０１２２】
実施形態B1の一例を図8に示すが、この例では、無線デバイス212は、TxOPの第1の部分でCAを使用し、TxOPの第2の部分でCAとキャリアマージとの組合せを使用する。図8に示すように、送信機は、BWP1、BWP2、およびBWP5でチャネルのフリーを検出する。独立したトランスポートブロックが準備され、（LBTの結果が利用可能になる前に）事前にチャネル（またはBWPまたは無線周波数（RF）チェーン）にマッピングされる。LBTの後、送信機は、空きチャネル（BWP1、2、5）にマッピングされたトランスポートブロックのみを送信する。他のトランスポートブロックは再処理され、TxOPの次の部分で送信される。
【０１２３】
TxOP の第2の部分では、この時点でLBT の結果が分かっているため、送信機はより広い帯域幅（図8 のBWP12）を使用して後続の送信のためにトランスポートブロックを適応させて再処理し、隣接するBWP 間の不要なガードバンド（図8 のBWP1 とBWP2 間のガードバンド）を充たすことができる。
【０１２４】
実施形態B1では、非連続な複数のBWP（図8のBWP12およびBWP5）は独立チャネルとして扱われ、送信はCAを使用して行われる。
【０１２５】
TxOPの第1の部分におけるCA送信のデュレーション（持続時間）は、（例えば、無線リソース制御（RRC）シグナリングまたはブロードキャスト情報を使用して）事前構成されることができるが、これは送信機の処理能力に依存する。別のオプションは、CAからキャリアマージへの切り替えが、物理ダウンリンク制御チャネル（PDCCH）またはメディアアクセス制御（MAC）制御情報により搬送されるダウンリンク制御情報（DCI）を介して、UEに動的にシグナリングされることである。
【０１２６】
3.2 実施形態B2
【０１２７】
この実施形態によれば、CAは、TxOP全体にわたって使用されるが、TxOPの第2の部分で、送信機は、ガードバンドでデータを送信し、受信機は、図9に示すように、このデータを受信するように構成され、たとえば、インターレース化が使用される場合（たとえば、送信機が無線デバイス212である場合）、送信機は、TxOPの第1の部分ではガードバンドでデータを送信せずに実施形態A1のインターレースデザインを使用し、TxOPの第2の部分では、隣接する利用可能な複数のBWPの間にあるガードバンドでデータを送信する実施形態A3のインターレースデザインを使用することができる。スイッチング（切替）ポイントは、実施形態B1と同じ方法で受信機にシグナリングすることができる。前提条件は、ガードバンド内の送信と隣接するチャネルとの間のキャリア間干渉を避けるために、異なるチャネルの中心周波数がサブキャリアアライメントされることである。
【０１２８】
3.3 実施形態B3
【０１２９】
実施形態B3では、LBT後のTxOPの第1の部分において、送信機はCA送信を使用する。TxOPの第2の部分で、送信機は、キャリアマージ化送信方式に切り替わるが、ここではキャリアマージが、隣接しないBWPに対してさえも使用される。これはまた、単一のワイドバンドキャリア送信方式であると理解されてもよい。例えば、インターレース化が使用される場合（例えば、送信機が無線デバイス212である場合）、送信機は、TxOPの第1の部分における実施形態A1のインターレースデザインに従ってCAを使用し、実施形態A2のインターレースデザインに従ってキャリアマージ化を使用することができるが、TxOPの第2の部分における非隣接BWPに対してもキャリアマージ化が使用される。従って、TxOPの第2の部分で、送信機は単一ワイドバンドキャリア送信方式を使用する。
【０１３０】
この実施形態によれば、非連続（すなわち、非隣接）BWP（図10のBWP1、BWP2、およびBWP5）は、より広いBWP (図10のBW125）にマージされる。これを行うことによって、送信機は、TxOPの第2の部分のために、より広い帯域幅で動作する単一の処理チェーンを使用するだけでよい。干渉フィルタリング能力を高めるために、非連続BWPが使用される場合には、受信機において複数の処理チェーンを使用することができる。
【０１３１】
3.4 実施形態B4
【０１３２】
実施形態B4では、図11に示すように、TxOPの第1の部分と第2の部分の両方に対してキャリアマージ化送信が使用される。より具体的には、図11に示すように、TxOPの第1の部分と第2の部分の両方において、送信機は、キャリアマージ化送信方式を使用するが、ここで、キャリアマージ化は、隣接していないBWPに対してさえも使用される。従って、TxOPの第1の部分と第2の部分の両方に対して、送信機は単一ワイドバンドキャリア送信方式を使用する。また、送信に使用される隣接する複数のBWPについては、隣接する複数のBWP間にあるガードバンド内のPRBも使用している。
【０１３３】
この実施形態によれば、コードブロックは、（LBTの結果が利用可能になる前に）あらかじめすべてのチャネル（またはBWP）について準備される。LBTの後、空きチャネル（BWP1、2、5）のために準備されたコードブロックのみがトランスポートブロックにマッピングされ、送信される。他のコードブロックは再処理され、トランスポートブロックにマッピングされ、TxOP の次の部分で送信される。
【０１３４】
処理遅延を低減するために、隣接するBWP間にガードバンドが存在することを前提として、第1の送信部分のコードブロックを用意し、隣接しないBWPが利用可能な場合には、コードブロックを再処理する必要がないようにする。したがって、不要なガードバンドは、TxOPの第2の部分でのみ、充たされる。LBTが失敗した隣接するチャネルへの漏れを低減するために、追加のガードバンドまたはウィンドウ関数を使用する必要がある場合がある。
【０１３５】
この実施形態によれば、送信機は、単一の処理チェーンを有する必要があるだけである。
【０１３６】
3.5 実施形態B5
【０１３７】
実施形態B5では、最大サポート帯域幅およびスイッチングポイントのタイミングを事前構成することができる。
【０１３８】
ある実施形態によれば、サポートされる最大帯域幅は、gNBによって事前に構成される。次に、受信機は、（例えば、第1の送信間隔の復調基準信号（DMRS）位置に基づいて）送信帯域幅を検出するまで、サポートされる最大帯域幅全体を監視する。次に、受信機は、受信された帯域幅を、送信帯域幅に変更する。
【０１３９】
いくつかの実施形態によれば、送信モード切り替えポイントのタイミングは、半静的に事前構成されることができ、例えば、不必要なガードバンドが充たされるTxOPの第2の部分で使用される第2の送信モードは、n番目の送信間隔から開始されるであろう（nは、送信機での処理時間に依存する）。次いで、送信機／受信機は、符号化／復号化モードをいつ切り替えるべきかを知る。
【０１４０】
n番目の送信間隔からTxOPの終わりまでの期間が短すぎる（または存在しない）場合、送信機は、第2の送信モードに切り替わらないように事前に構成されてもよい。これは、ダウンリンク／アップリンク共用TxOPによって起こり得るか、または送信機がTxOPの終わりにチャネルフリーを検知するだけである。
【０１４１】
3.6 実施形態B6
【０１４２】
実施形態B6では、ダウンリンクおよびアップリンクは、同じTxOPをシェアする。以下の送信帯域幅は、両側からのLBTの結果に基づくことができ、すなわち、送信帯域幅は、利用可能なBWPの両側でのインターセクション（共通部分）でなければならない。これは、余分なシグナリングなしで、隠れノード問題を解決するのに役立つであろう。その理由は、gNB／UEが、現在のアップリンク／ダウンリンク送信帯域幅に基づいて、他方の側でLBTの結果を得ることができるからである。
【０１４３】
3.7 実施形態B1〜B6のインターレースデザインの利用例
【０１４４】
図12は、本開示のいくつかの実施形態による、送信機および受信機の動作を図示する。重要なことに、送信機は、送信機／送信ノードを送信回路（すなわち、例えば、アップコンバージョン回路、フィルタ、電力増幅器などを有する（1つ以上の）送信チェーン）から明確に区別するために、本明細書では「送信ノード」とも呼ばれ、同様に、受信機は、受信機／受信ノードを受信回路（すなわち、例えば、低雑音増幅器、フィルタ、ダウンコンバージョン回路などを有する（1つ以上の）受信チェーン）から明確に区別するために、本明細書では「受信ノード」とも呼ばれる。いくつかの実施形態によれば、送信機は無線デバイス212であり、受信機は基地局202である。他のいくつかの実施形態によれば、送信機は基地局202であり、受信機は無線デバイス212である。この例では、実施形態B1〜B6のうちの1つ以上が利用される。また、低電力ノード206にも適用可能である。オプションのステップは、破線によって表される。さらに、ステップは、特定の順序で実行されるように示されているが、別段の説明がない限り、または必要とされない限り、ステップは、任意の所望の順序で実行されてもよく、いくつかのステップは、特定の実装形態に応じて並列に実行されてもよい。
【０１４５】
図示するように、送信機は、TxOPの第1の部分の期間で、送信のためのトランスポートブロックを生成し、送信機によってLBTが完了する前に、送信機の送信帯域幅の複数のBWP（例えば、すべてのBWP）にトランスポートブロックをマッピングする（ステップ1200）。ここで使用されるように、TxOPは、送信機が送信することが許可される制限時間間隔を指すことに注意されたい。また、この例ではトランスポートブロックが使用されているが、代わりにコードブロックが使用されてもよい。送信機は、上述のように、複数のBWPに対応する複数のチャネルでLBTプロシージャを実行する（ステップ1202）。送信機は、TxOPの第1の部分の期間で、ただし、隣接する利用可能なチャネル／BWPの間のガードバンド内のリソースを利用しない第1の送信方式に従って、利用可能なチャネル（すなわち、利用可能なチャネルに対応するBWP）においてのみ（生成され、マッピングされたトランスポートブロック）を送信する（ステップ1204）。例えば、実施形態B1、B2、およびB3では、第1の送信方式は、CAを使用して、利用可能なBWPにおけるTxOPの第1の部分の期間で（生成されマッピングされたトランスポートブロック）を送信する送信方式である。受信機は、TxOPの第1の部分の期間で送信信号を受信する（ステップ1206）。
【０１４６】
送信機は、TxOPの第2の部分の期間で送信のためのトランスポートブロックを生成し、これらのトランスポートブロックを、LBTの完了後に利用可能なチャネル／BWPにマッピングする（ステップ1208）。ここでも、この例ではトランスポートブロックが使用されているが、代わりにコードブロックが使用されてもよい。送信機は、隣接する利用可能なチャネル／BWP間のガードバンド内のリソースのうちの少なくともいくつかを利用する第2の送信方式に従って、利用可能なチャネル／BWP内のTxOPの第2の部分の期間で（生成されマッピングされたトランスポートブロック）を送信する（ステップ1210）。例えば、実施形態B1では、第2の送信方式は、利用可能なBWPにおけるTxOPの第2の部分の期間で（生成されマッピングされたトランスポートブロック）を送信するためにキャリアマージを使用する送信方式である。別の例として、実施形態B2では、第2の送信方式は、CAを使用するが、隣接する利用可能なBWP間のガードバンド内の余分なリソースも使用する送信方式である。別の例として、実施形態B3では、第2の送信方式は、隣接していない利用可能な複数のBWPに対してさえもキャリアマージを使用する送信方式である。受信機は、TxOPの第2の部分の期間で送信信号を受信する（ステップ1212）。
【０１４７】
別の代替として、TxOPの第1の部分および第2の部分の期間での送信は、実施形態B4に従うことができ、そこでは、（LBT結果が利用可能になる前に）コードブロックがすべてのチャネル（またはBWP）のために事前に準備され、キャリアマージ送信が両方の部分のために利用されることに留意されたい。
【０１４８】
図13は、本発明のいくつかの実施形態による基地局202（例えば、gNB）および無線デバイス212（例えば、UE）の動作を示す。この例では、実施形態B1〜B6のうちの1つ以上が利用される。また、低電力ノード206にも適用可能である。図13の処理は、図12の処理と同様であるが、送信機が無線デバイス212であり、受信機が基地局202であり、インターレースがアップリンクに使用される。オプションのステップは、破線によって表される。さらに、ステップは、特定の順序で実行されるように示されているが、別段の説明がない限り、または必要とされない限り、ステップは、任意の所望の順序で実行されてもよく、いくつかのステップは、特定の実装形態に応じて並列に実行されてもよい。
【０１４９】
図示されるように、基地局202は、例えば、無線デバイス212の最高アップリンク帯域幅、および／または、TxOPの第1の部分および第2の部分のための切り替えポイントのタイミングを用いて、無線デバイス212を事前構成することができる（ステップ1300）。基地局202は、上述のように、LBTプロシージャを実行し、アップリンクグラントを送信する（ステップ1302および1304）。
【０１５０】
無線デバイス212によるLBTの完了前に、無線デバイス212は、TxOPの第1の部分の期間での送信のためのトランスポートブロックを生成し、無線デバイス212のアップリンク帯域幅の複数BWP内のインターレースにトランスポートブロックをマッピングする（ステップ1306）。ここでも、この例ではトランスポートブロックが使用されているが、代わりにコードブロックが使用されてもよい。無線デバイス212は、上述したように、複数のBWPに対応する複数のチャネル上でLBTプロシージャを実行する（ステップ1308）。無線デバイス212は、第1のインターレースデザイン（ステップ1310）に従って、利用可能なチャネル（すなわち、使用可能なBWP）内のインターレース上のTxOPの第1の部分の期間で、（生成され、マップされたトランスポートブロック）を送信する。言い換えると、無線デバイス212は、第1のインターレースデザインを使用する第1の送信方式に従って、生成され、マッピングされたトランスポートブロックを、利用可能なチャネル／BWP内のインターレース上のTxOPの第1の部分の期間で送信する。例えば、実施形態B1、B2、およびB3では、第1のインターレースデザインは、CAを使用して、TxOPの第1の部分の期間で、利用可能なBWP中のインターレース上で送信するインターレースデザインである。基地局202は、TxOPの第1の部分の期間で送信信号を受信する（ステップ1312）。
【０１５１】
無線デバイス212は、TxOPの第2の部分の期間の送信のためのトランスポートブロックを生成し、それらのトランスポートブロックを、LBTの完了後、利用可能なチャネル内（すなわち、利用可能なBWP内）のインターレースにマッピングする（ステップ1314）。ここでも、この例ではトランスポートブロックが使用されているが、代わりにコードブロックが使用されてもよい。無線デバイス212は、第2のインターレースデザイン（ステップ1316）に従って、利用可能なチャネル（すなわち、使用可能なBWP）内のインターレース上のTxOPの第2の部分の期間で、（生成され、マップされたトランスポートブロックを）、送信する。言い換えると、無線デバイス212は、第2のインターレースデザインを使用する第2の送信方式に従って、生成され、マッピングされたトランスポートブロックを、利用可能なチャネル／BWP内のインターレース上のTxOPの第2の部分の期間で送信する。例えば、実施形態B1では、第2のインターレースデザインは、利用可能なBWPにおけるインターレース上のTxOPの第2の部分の期間で送信するためにキャリアマージを使用するインターレースデザインである（例えば、実施形態A2のインターレースデザイン）。別の例として、実施形態B2では、第2のインターレースデザインは、CAを使用するが、隣接する利用可能なBWP間のガードバンド内の余分なリソースも使用するインターレースデザインである。別の例として、実施形態B3では、第2のインターレースデザインは、隣接していない利用可能なBWPに対してさえ、キャリアマージ化を使用するインターレースデザインである。基地局202は、TxOPの第2の部分の期間で送信信号を受信する（ステップ1318）。
【０１５２】
別の代替案として、TxOPの第1および第2の部分の期間での送信は、コードブロック（または代替的にトランスポートブロック）がすべてのチャネル（またはBWP）に対して事前に（LBT結果が利用可能になる前に）準備され、キャリアマージ送信が両方の部分のために利用される、実施形態B4によることが可能であることに留意されたい。
【０１５３】
4 追加の詳細
【０１５４】
図14は、本開示のいくつかの実施形態による無線アクセスノード1400の概略ブロック図である。無線アクセスノード1400は、例えば、基地局202または206であってもよい。図示されるように、無線アクセスノード1400は、1つ以上のプロセッサ1404（例えば、中央演算処理装置（CPU）、特定用途向け集積回路（ASIC）、フィールドプログラマブルゲートアレイ（FPGA）および／またはその他等）、メモリ1406、及びネットワークインターフェース1408を有する制御システム1402を有する。さらに、無線アクセスノード1400は、1つ以上のアンテナ1416に結合された1つ以上の送信機1412および1つ以上の受信機1414をそれぞれ有する1つ以上の無線ユニット1410を有する。いくつかの実施形態によれば、無線ユニット1410は、制御システム1402の外部にあり、例えば、有線コネクション（例えば、光ケーブル）を介して制御システム1402に接続される。しかしながら、いくつかの他の実施形態によれば、無線ユニット（複数可）1410および潜在的にアンテナ（複数可）1416は、制御システム1402と一体化される。1つ以上のプロセッサ1404は、本明細書に記載するように、無線アクセスノード1400の1つ以上の機能を提供するように動作する。ある実施形態によれば、機能は、例えばメモリ1406に記憶され、1つ以上のプロセッサ1404によって実行されるソフトウエアで実現される。
【０１５５】
図15は、本開示のいくつかの実施形態による無線アクセスノード1400の仮想化された実施形態を示す概略ブロック図である。この説明は、他のタイプのネットワークノードにも同様に適用できる。さらに、他のタイプのネットワークノードは、同様の仮想化アーキテクチャを有することができる。
【０１５６】
本明細書で使用されるように、「仮想化された」無線アクセスノードは、無線アクセスノード1400の機能の少なくとも一部が、（例えば、ネットワーク（複数可）内の物理処理ノード（複数可）上で実行される仮想マシン（複数可）を介して）仮想コンポーネント（複数可）として実装される、無線アクセスノード1400の実装である。図示のように、この例では、無線アクセスノード1400は、1つ以上のプロセッサ1404（たとえば、CPU、ASIC、FPGAおよび／またはその他など）、メモリ1406、およびネットワークインターフェース1408を有する制御システム1402と、上述のように、1つ以上のアンテナ1416に結合された1つ以上の送信機1412および1つ以上の受信機1414をそれぞれ有する1つ以上の無線ユニット1410とを有する。制御システム1402は、例えば光ケーブル等を介して無線ユニット（複数可）1410に接続されている。制御システム1402は、ネットワークインターフェース1408を介して、ネットワーク（複数可）1502の一部として連結され、またはその一部として組み込まれている、1つ以上の処理ノード1500に接続される。各処理ノード1500は、1つ以上のプロセッサ1504（例えば、CPU、ASIC、FPGA、および／または、類似物）、メモリ1506、およびネットワークインターフェース1508を有する。
【０１５７】
この例では、本明細書で説明される無線アクセスノード1400の機能1510は、1つ以上の処理ノード1500において実装されるか、または任意の所望の方法で制御システム1402および1つ以上の処理ノード1500にわたって分散される。いくつかの特定の実施形態によれば、本明細書に記載する無線アクセスノード1400の機能1510の一部または全部は、処理ノード1500によってホストされる仮想環境に実装される1つ以上の仮想マシンによって実行される仮想コンポーネントとして実装される。当業者には理解されるように、処理ノード1500と制御システム1402との間の追加のシグナリングまたは通信は、所望の機能1510の少なくともいくつかを実行するために使用される。特に、いくつかの実施形態によれば、制御システム1402は含まれなくてもよく、そのケースでは、無線ユニット1410は、適切なネットワークインターフェースを介して処理ノード1500と直接的に通信する。
【０１５８】
いくつかの実施形態によれば、少なくとも1つのプロセッサによって実行されると、少なくとも1つのプロセッサに、本明細書で説明される実施形態のいずれかによる仮想環境において無線アクセスノード1400の機能1510のうちの1つ以上を実装する無線アクセスノード1400またはノード（たとえば、処理ノード1500）の機能を実行させる命令を有するコンピュータプログラムが提供される。いくつかの実施形態によれば、前述のコンピュータプログラムプロダクトを有するキャリアが提供される。キャリアは、電気信号、光信号、無線信号、またはコンピュータ可読記憶媒体（例えば、メモリなどの非一時的なコンピュータ可読媒体）のうちの1つである。
【０１５９】
図16は、本開示のいくつかの他の実施形態による無線アクセスノード1400の概略ブロック図である。無線アクセスノード1400は一つ以上のモジュール1600を有し、その各々はソフトウエアで実現される。モジュール1600は、本明細書に記載する無線アクセスノード1400の機能性を提供する。この説明は、図15の処理ノード1500にも同様に適用可能であり、ここでは、モジュール1600は、処理ノード1500のうちの1つにおいて実装されてもよく、または多数の処理ノード1500にわたって分散されてもよく、および／または処理ノード1500および制御システム1402にわたって分散されてもよい。
【０１６０】
図17は、本開示のいくつかの実施形態によるUE 1700の概略ブロック図である。図示のように、UE 1700は、1つ以上のプロセッサ1702（たとえば、CPU、ASIC、FPGAおよび／またはその他など）、メモリ1704、および1つ以上のアンテナ1712に結合された1つ以上の送信機1708および1つ以上の受信機1710をそれぞれ有する1つ以上のトランシーバ1706を有する。いくつかの実施形態によれば、上述したUE 1700の機能は、例えば、メモリ1704に格納され、プロセッサ1702によって実行されるソフトウエアにおいて、完全にまたは部分的に実装されてもよい。
【０１６１】
いくつかの実施形態によれば、少なくとも1つのプロセッサによって実行されるときに、本明細書で説明される実施形態のうちのいずれかに従って、少なくとも1つのプロセッサにUE 1700の機能を実行させる命令を有するコンピュータプログラムが提供される。いくつかの実施形態によれば、前述のコンピュータプログラムプロダクトを有するキャリアが提供される。キャリアは、電気信号、光信号、無線信号、またはコンピュータ可読記憶媒体（例えば、メモリなどの非一時的なコンピュータ可読媒体）のうちの1つである。
【０１６２】
図18は、本開示のいくつかの他の実施形態によるUE 1700の概略ブロック図である。UE1700は、それぞれソフトウエアで具現される一つ以上のモジュール1800を有する。モジュール1800は、本明細書で説明されるUE1700の機能を提供する。
【０１６３】
図19を参照すると、実施形態に従って、通信システムは、RANのようなアクセスネットワーク1902と、コアネットワーク1904とを有する、3GPPタイプのセルラーネットワークのような通信ネットワーク1900を有する。アクセスネットワーク1902は、ノードB、eNB、gNB、または他のタイプのワイヤレスアクセスポイント（AP）などの複数の基地局1906A、1906B、1906Cを有し、それぞれが対応するカバレッジエリア1908A、1908B、1908Cを規定する。それぞれの基地局1906a、1906b、1906cは、有線または無線コネクション1910を介してコアネットワーク1904に接続可能である。カバレッジエリア1908cに位置する第1のUE 1912は、対応する基地局1906cと無線で接続されるか、またはページングされるように構成されている。カバレッジエリア1908a内の第2のUE 1914は、対応する基地局1906aに無線で接続可能である。この例では、複数のUE1912、1914が示されているが、開示された実施形態は、単一のUEがカバレッジエリア内に存在する状況や、単一のUEが対応する基地局1906に接続している状況にも、等しく適用可能である。
【０１６４】
通信ネットワーク1900は、それ自体、ホストコンピュータ1916に接続されており、それは、スタンドアローンサーバー、クラウド実装サーバー、分散サーバー、またはサーバーファームにおける処理リソースのハードウェアおよび／またはソフトウエアに具現化されてもよい。ホストコンピュータ1916は、サービスプロバイダの所有権または制御下にあってもよいし、サービスプロバイダによって、またはサービスプロバイダの代わりに運用されてもよい。通信ネットワーク1900とホストコンピュータ1916との間のコネクション1918および1920は、コアネットワーク1904からホストコンピュータ1916まで直接的に延びてもよく、あるいは任意の中間ネットワーク1922を介してもよい。中間ネットワーク1922は、パブリック、プライベート、またはホストされたネットワークのうちの1つ、またはその複数の組合せであってもよく、中間ネットワーク1922は、もしあれば、バックボーンネットワークまたはインターネットであってもよく、特に、中間ネットワーク1922は、2つ以上のサブネットワーク（図示せず）を含んでもよい。
【０１６５】
図19の通信システムは、全体として、接続されたUE1912、1914とホストコンピュータ1916との間のコネクティビティを可能にする。コネクティビティ(接続性)は、オーバーザトップ(OTT)コネクション1924として記述されてもよい。ホストコンピュータ1916および接続されたUE1912、1914は、アクセスネットワーク1902、コアネットワーク1904、任意の中間ネットワーク1922、および可能なさらなるインフラストラクチャ（図示せず）を中継器として使用して、OTTコネクション1924を介してデータおよび／またはシグナリングを通信するように構成される。OTTコネクション1924は、OTTコネクション1924が通過する参加通信デバイスが、アップリンク通信およびダウンリンク通信のルーティングに気付かないという意味でトランスペアレントであり得る。例えば、基地局1906は、接続されたUE 1912に転送される(例えば、ハンドオーバされる)ためにホストコンピュータ1916から発信されるデータをもつ着信ダウンリンク通信の過去のルーティングについて知らされる必要はない。同様に、基地局1906は、UE 1912からホストコンピュータ1916へ向かう発信されるアップリンク通信の将来のルーティングを認識する必要はない。
【０１６６】
上記パラグラフで説明されたUE、基地局、ホストコンピュータの実施形態に従い、図20を参照して、ここで例示的な実装が説明される。通信システム2000において、ホストコンピュータ2002は、通信システム2000における異なる通信装置のインターフェースと有線又は無線コネクションをセットアップし、維持するために構成される通信インターフェース2006を有するハードウェア2004を有する。ホストコンピュータ2002は、記憶および/またはプロセッシング(処理)能力を有することができるプロセッシング回路2008をさらに有する。特に、プロセッシング回路2008は、命令を実行するように適合された1つ以上のプログラマブルプロセッサ、ASIC、FPGA、またはこれらの組合せ（図示せず）を含んでもよい。ホストコンピュータ2002はさらにソフトウエア2010を有し、それがホストコンピュータ2002に記憶されるか、又はアクセス可能であり、プロセッシング回路2008によって実行可能である。ソフトウエア2010は、ホストアプリケーション2012を有する。ホストアプリケーション2012は、UE 2014およびホストコンピュータ2002で終端されるOTTコネクション2016を介して接続するUE 2014などのリモートユーザにサービスを提供するように動作可能であってもよい。リモートユーザにサービスを提供する際に、ホストアプリケーション2012は、OTTコネクション2016を使用して送信されるユーザデータを提供してもよい。
【０１６７】
通信システム2000はさらに、通信システム内に設けられ、ホストコンピュータ2002およびユーザ装置2014と通信することを可能にするハードウェア2020を有する基地局2018を有する。ハードウェア2020は、通信システム2000の別の通信装置のインターフェースと有線または無線コネクションをセットアップおよび維持するための通信インターフェース2022、ならびに基地局2018によってサービスされるカバレッジエリア(図20には示されていない)に位置するUE 2014との少なくとも無線コネクション2026をセットアップおよび維持するための無線インターフェース2024を有することができる。通信インターフェース2022は、ホストコンピュータ2002へのコネクション2028を容易にするように構成されてもよい。コネクション2028は、直接的なものであってもよいし、通信システムのコアネットワーク(図20には示されていない)を通過するものであってもよいし、および/または通信システムの外部の1つ以上の中間ネットワークを通過するものであってもよい。図示の実施形態によれば、基地局2018のハードウェア2020は、命令を実行するように適合された1つ以上のプログラマブルプロセッサ、ASIC、FPGA、またはこれらの組合せ（図示せず）を有することができるプロセッシング回路2030をさらに有する。さらに、基地局2018は、内部に記憶されるか、または外部コネクションを介してアクセス可能なソフトウエア2032を有する。
【０１６８】
通信システム2000は、すでに言及されたUE 2014をさらに有する。UE 2014のハードウェア2034は、UE 2014が現在位置するカバレッジエリアにサービスを提供する基地局との無線コネクション2026をセットアップおよび維持するように構成された無線インターフェース2036を有することができる。UE 2014のハードウェア2034は、命令を実行するように適合された1つ以上のプログラマブルプロセッサ、ASIC、FPGA、またはこれらの組合せ（図示せず）を有することができるプロセッシング回路2038をさらに有する。UE 2014はさらにソフトウエア2040を有し、これらはUE 2014内に記憶されるかアクセス可能であり、またプロセッシング回路2038によって実行可能である。ソフトウエア2040は、クライアントアプリケーション2042を有する。クライアントアプリケーション2042は、ホストコンピュータ2002のサポートを受けて、UE 2014を介して人間または非人間のユーザにサービスを提供するように動作可能である。ホストコンピュータ2002において、実行中のホストアプリケーション2012は、UE 2014で終了するOTTコネクション2016およびホストコンピュータ2002を介して実行中のクライアントアプリケーション2042と通信してもよい。ユーザにサービスを提供する際に、クライアントアプリケーション2042は、ホストアプリケーション2012から要求データを受信し、要求データに応答してユーザデータを提供してもよい。OTTコネクション2016は、リクエストデータとユーザデータの両方を送信してもよい。クライアントアプリケーション2042は、ユーザと対話して、ユーザが提供するユーザデータを生成することができる。
【０１６９】
図20に示されるホストコンピュータ2002、基地局2018、およびUE 2014は、それぞれ、ホストコンピュータ1916、基地局1906A、1906B、1906Cのうちの1つ、および図19のUE1912、1914のうちの1つと類似または同一であり得ることに留意されたい。すなわち、これらのエンティティの内部動作は、図20に示されるようなものであってもよいし、これとは独立したものであってもよいし、周囲のネットワークトポロジは図19のものであってもよい。
【０１７０】
図20では、OTTコネクション2016は、いかなる中間デバイスにも明示的に言及することなく、基地局2018を介したホストコンピュータ2002とUE 2014との間の通信、およびこれらの装置を介したメッセージの正確なルーティングを示すために抽象的に描かれている。ネットワークインフラストラクチャは、UE 2014から、またはホストコンピュータ2002を動作するサービスプロバイダから、あるいはその両方から隠すように構成されうる、ルーティングを決定してもよい。OTTコネクション2016がアクティブな間、ネットワークインフラストラクチャは、(例えば、ロードバランシングの考慮またはネットワークの再構成に基づいて)ルーティングを動的に変更する決定をさらに行うことができる。
【０１７１】
UE 2014と基地局2018との間の無線コネクション2026は、本開示全体を通じて説明される実施形態の教示に従う。様々な実施形態のうちの1つ以上は、無線コネクション2026が最後の区分を形成するOTTコネクション2016を使用して、UE 2014に提供されるOTTサービスの性能を改善する。より正確には、これらの実施形態の教示は、例えば、データ速度および／またはレイテンシ（遅延時間）を改善することができ、それによって、例えば、ユーザ待ち時間の短縮、ファイルサイズについての制限の緩和、および／またはより良好な応答性などの利益を提供することができる。
【０１７２】
測定プロシージャは、データ速度、レイテンシ、および1つ以上の実施形態が改善する他の要因を監視する目的で提供され得る。さらに、測定結果のばらつきに応じて、ホストコンピュータ2002とUE2014との間でOTTコネクション2016を再構成するための任意のネットワーク機能があってもよい。OTTコネクション2016を再構成するための測定プロシージャおよび/またはネットワーク機能は、ホストコンピュータ2002のソフトウエア2010およびハードウェア2004、またはUE 2014のソフトウエア2040およびハードウェア2034、あるいはその両方で実装されてもよい。いくつかの実施形態によれば、センサ（図示せず）は、OTTコネクション2016が通過する通信デバイスに配備されるか、またはそれに関連して配備されてもよく、センサは、上記で例示された監視量の値を供給することによって、またはソフトウエア2010、2040が監視量を計算または推定することができる他の物理量の値を供給することによって、測定プロシージャに参加することができる。OTTコネクション2016の再構成は、メッセージフォーマット、再送信設定、好ましいルーティングなどを有することができ、再構成は、基地局2014に影響を及ぼす必要はなく、基地局2014には知られていないか、または知覚できないことがある。このようなプロシージャおよび機能性は、当技術分野で公知であり、実践されているものであってもよい。いくつかの実施形態によれば、測定は、ホストコンピュータ2002のスループット、伝搬時間、レイテンシなどの測定を容易にする独自のUEシグナリングを有することができる。測定は、ソフトウエア2010及び2040が、伝搬時間、誤り等を監視している間に、OTTコネクション2016を使用して、メッセージ、特に空又は「ダミー」メッセージを送信させることによって実施されてもよい。
【０１７３】
図21は、一実施形態による、通信システムにおいて実施される方法を示すフローチャートである。この通信システムは、ホストコンピュータと、基地局と、図19および図20に関連して説明したものとすることができるUEとを有する。本開示を簡単にするために、図21を参照する図面のみがこのセクションに含まれる。ステップ2100において、ホストコンピュータはユーザデータを提供する。ステップ2100のサブステップ2102（オプションであってもよい）において、ホストコンピュータは、ホストアプリケーションを実行することによって、ユーザデータを提供する。ステップ2104において、ホストコンピュータは、ユーザデータをUEへ搬送する送信を開始する。ステップ2106(オプションであってもよい)において、基地局は、本開示全体にわたって説明される実施形態の教示に従って、ホストコンピュータが開始した送信において搬送されたユーザデータをUEに送信する。ステップ2108(オプションであってもよい)において、UEは、ホストコンピュータによって実行されるホストアプリケーションに関連付けられたクライアントアプリケーションを実行する。
【０１７４】
図22は、一実施形態による、通信システムにおいて実施される方法を示すフローチャートである。この通信システムは、ホストコンピュータと、基地局と、図19および図20に関連して説明したものとすることができるUEとを有する。本開示を簡単にするために、図22を参照する図面のみがこのセクションに含まれる。本方法のステップ2200において、ホストコンピュータはユーザデータを提供する。オプションのサブステップ（図示せず）では、ホストコンピュータは、ホストアプリケーションを実行することによってユーザデータを提供する。ステップ2202において、ホストコンピュータは、ユーザデータをUEへ搬送する送信を開始する。送信された信号は、本開示全体にわたって説明される実施形態の教示にしたがって、基地局を介して渡されてもよい。ステップ2204(任意であってもよい)において、UEは、送信信号により搬送されるユーザデータを受信する。
【０１７５】
図23は、一実施形態による、通信システムにおいて実施される方法を示すフローチャートである。この通信システムは、ホストコンピュータと、基地局と、図19および図20に関連して説明したものとすることができるUEとを有する。本開示を簡単にするために、図23を参照する図面のみがこのセクションに含まれる。ステップ2300(オプションであってもよい)において、UEは、ホストコンピュータによって提供された入力データを受信する。これに加えて、またはこれに代えて、ステップ2302において、UEは、ユーザデータを提供する。ステップ2300のサブステップ2304（オプションであってもよい）において、UEは、クライアントアプリケーションを実行することによって、ユーザデータを提供する。ステップ2302のサブステップ2306（オプションであってもよい）において、UEは、ホストコンピュータによって提供された受信入力データに応答してユーザデータを提供するクライアントアプリケーションを実行する。ユーザデータを提供する際に、実行されたクライアントアプリケーションは、ユーザから受け取ったユーザ入力をさらに考慮してもよい。ユーザデータが提供された特定の方法にかかわらず、UEは、サブステップ2308（オプションでもよい）で、ユーザデータのホストコンピュータへの送信を開始する。本方法のステップ2310において、ホストコンピュータは、本開示全体にわたって説明される実施形態の教示に従って、UEから送信されたユーザデータを受信する。
【０１７６】
図24は、一実施形態による、通信システムにおいて実施される方法を示すフローチャートである。この通信システムは、ホストコンピュータと、基地局と、図19および図20に関連して説明したものとすることができるUEとを有する。本開示を簡単にするために、図24を参照する図面のみがこのセクションに含まれる。ステップ2400(オプションであってもよい)において、本開示全体にわたって説明される実施形態の教示に従って、基地局は、UEからユーザデータを受信する。ステップ2402(オプションでよい)において、基地局は、受信されたユーザデータのホストコンピュータへの送信を開始する。ステップ2404(任意であってもよい)において、ホストコンピュータは、基地局によって開始された送信において搬送されるユーザデータを受信する。
【０１７７】
本明細書で開示される任意の適切なステップ、方法、特徴、機能、または利益は、1つ以上の機能ユニット、または1つ以上の仮想装置のモジュールを介して実行されてもよい。各仮想装置は、いくつかのこれらの機能ユニットを有してもよい。これらの機能ユニットは、1つ以上のマイクロプロセッサまたはマイクロコントローラを有することができるプロセッシング回路、ならびにデジタルシグナルプロセッサ(DSP)、専用デジタルロジックなどを有することができる他のデジタルハードウェアを介して実装することができる。プロセッシング回路は、読み出し専用メモリ（ROM）、ランダムアクセスメモリ（RAM）、キャッシュメモリ、フラッシュメモリデバイス、光記憶デバイスなどの1つ以上のタイプのメモリを有することができる、メモリに格納されたプログラムコードを実行するように構成することができる。メモリに格納されたプログラムコードは、1つ以上の通信および/またはデータ通信プロトコルを実行するためのプログラム命令、ならびに本明細書で説明される技術のうちの1つ以上を実行するための命令を有する。いくつかの実装形態では、プロセッシング回路は、本開示の1つ以上の実施形態に従って、それぞれの機能ユニットに対応する機能を行わせるために使用されてもよい。
【０１７８】
図中のプロセスは、本開示の特定の実施形態によって実行される動作の特定の順序を示してもよいが、そのような順序は例示的であることを理解されたい（例えば、代替の実施形態は、異なる順序で動作を実行してもよく、特定の動作を組み合わせてもよく、特定の動作をオーバーラップしてもよいなど）。
【０１７９】
いくつかの例示的な実施形態は以下の通りである。
【０１８０】
グループAの実施形態
【０１８１】
実施形態1：リッスンビフォアトーク（LBT）を必要とする周波数スペクトルで送信を実行するために送信機によって実行される方法であって、以下を有する方法：
● 送信機の送信帯域幅内の複数のチャネルに対してLBTプロシージャを実行すること（700）であって、前記送信帯域幅は、前記複数のチャネルに対応する複数の帯域幅部分に分割されている、ことと、
● 前記複数のチャネルに対して実行された前記LBTプロシージャの結果に基づいて、利用可能であると判定された前記複数のチャネルのサブセットに対応する前記複数の帯域幅部分のサブセットにおいて送信信号を送信すること（702）とを有し、前記送信信号を送信することは、以下の送信方式に従って前記送信信号を送信することを含む：
○ 前記複数の帯域幅部分のサブセットで前記送信信号を送信するためにキャリアアグリゲーションおよび／またはキャリアマージ化を使用することと、
○ 前記複数の帯域幅部分のサブセットの中から2つ（またはそれ以上）の隣接する帯域幅部分の間にあるガードバンド（複数可）中のリソースを使用すること。
【０１８２】
実施形態2：実施形態1に記載の方法であって、前記複数のチャネルのサブセットが少なくとも2つのチャネルを有し、前記複数の帯域幅部分のサブセットで前記送信信号を送信することは、キャリアアグリゲーション方式に従って前記複数の帯域幅部分の前記サブセットで前記送信信号を送信することを含む。
【０１８３】
実施形態3：実施形態1に記載の方法であって、前記複数のチャネルの前記サブセットが、前記複数のチャネルからの少なくとも2つの隣接するチャネルを有し、前記複数の帯域幅部分の前記サブセットで前記送信信号を送信することは、少なくとも2つの隣接する帯域幅部分をマージし、少なくとも2つの隣接する帯域幅部分の間のガードバンドにおいて少なくともいくつかのリソースを利用するキャリアマージ化方式に従って、前記少なくとも2つの隣接するチャネルに対応する少なくとも2つの隣接する帯域幅部分で前記送信信号を送信することを有する。
【０１８４】
実施形態4：実施形態1に記載の方法であって、前記複数のチャネルの前記サブセットが、前記複数のチャネルからの少なくとも2つの隣接するチャネルを有し、前記複数の帯域幅部分の前記サブセットで前記送信信号を送信することは、前記少なくとも2つの隣接する帯域幅部分をマージし、前記送信信号が送信されるべき少なくとも1つのインターレースに割り当てられる前記少なくとも2つの隣接する帯域幅部分の間にあるガードバンドにおいて少なくともいくつかのリソースを利用するキャリアマージ化方式に従って、前記少なくとも2つの隣接するチャネルに対応する少なくとも2つの隣接する帯域幅部分で前記送信信号を送信することを有する。
【０１８５】
実施形態5：実施形態3または4に記載の方法であって、前記複数のチャネルの前記サブセットは、前記少なくとも2つの隣接するチャネルに隣接していない複数のチャネルからの少なくとも1つのチャネルをさらに有し、前記複数の帯域幅部分の前記サブセットで前記送信信号を送信することは、（a）キャリアマージ化方式に従ってマージされる少なくとも2つの隣接するチャネルに対応する少なくとも2つの隣接する帯域幅部分と、（b）キャリアアグリゲーション方式に従って、前記少なくとも2つの隣接する帯域幅部分に隣接していない少なくとも1つのチャネルに対応する少なくとも1つの帯域幅部分と、において、前記送信信号を送信することをさらに有する。
【０１８６】
実施形態6：実施形態1に記載の方法であって、前記複数のチャネルの前記サブセットは、前記複数のチャネルからの少なくとも2つの隣接するチャネルを有し、前記複数の帯域幅部分の前記サブセットで前記送信信号を送信することは、少なくとも2つの隣接する帯域幅部分の間にあるガードバンドにおける少なくともいくつかのリソースを利用するキャリアアグリゲーション方式に従って、前記少なくとも2つの隣接するチャネルに対応する少なくとも2つの隣接する帯域幅部分で前記送信信号を送信することを有する。
【０１８７】
実施形態7：実施形態1に記載の方法であって、前記複数のチャネルの前記サブセットは、前記複数のチャネルからの少なくとも2つの隣接するチャネルを有し、前記複数の帯域幅部分の前記サブセットで前記送信信号を送信することは、前記送信信号が送信される少なくとも1つのインターレースに対して割り当てられる前記少なくとも2つの隣接する帯域幅部分の間にあるガードバンドにおける少なくともいくつかのリソースを利用するキャリアアグリゲーション方式に従って、前記少なくとも2つの隣接するチャネルに対応する少なくとも2つの隣接する帯域幅部分で前記送信信号を送信することを有する。
【０１８８】
実施形態8：実施形態1の方法であって、前記送信方式は、前記複数の帯域幅部分のそれぞれにおいて複数のインターレースを定義するインターレースデザインを利用するものであり、特定のインターレースに割り当てられたガードバンドにおける少なくとも1つのリソースは、前記複数の帯域幅部分内における前記対応するインターレースを占有する同一の無線デバイスに割り当てられる。
【０１８９】
実施形態9：実施形態1から8のいずれか1つの方法であって、前記送信方式は、前記複数の帯域幅部分のそれぞれにおいて複数のインターレースを定義するインターレースデザインを利用するものであり、当該インターレースデザインは、前記複数の帯域幅部分における前記複数のインターレースの間にサブキャリアレベルのアライメントが存在するように、前記複数の帯域幅部分のうちの少なくとも1つについての中心周波数をオフセットするものである。
【０１９０】
実施形態10：実施形態1から9のいずれか1つの方法であって、前記送信信号を生成する際に、前記送信機の前記送信帯域幅をサポートすることができるサイズを有する高速フーリエ変換（FFT）は、前記複数のチャネルに関するLBTプロシージャのすべてのありうる結果に使用されるものである。
【０１９１】
実施形態11：実施形態1から10のいずれか1つの方法であって、前記送信機の最大サポート帯域幅は、前記送信機に対して事前構成されるか、または、前記送信機にシグナリングされる。
【０１９２】
実施形態12：実施形態1から11のいずれか1つに記載の方法であって、前記送信機は無線デバイスであり、前記方法は、ネットワークノードから、符号化速度、変調次数、およびアップリンク送信に使用される少なくとも1つのインターレースのシグナリングを受信することをさらに有する。
【０１９３】
実施形態13：実施形態12に記載の方法であって、前記複数のチャネルについて実行される前記LBTプロシージャによって決定される利用可能なチャネルの数、および／または、隣接する利用可能なチャネル間にある前記ガードバンドにおける余分なリソースが前記アップリンク送信のために使用されるべきかどうかに基づいて、前記アップリンク送信のためのトランスポートブロックサイズを適応させることをさらに有する。
【０１９４】
実施形態14：リッスンビフォアトーク（LBT）を必要とする周波数スペクトルにおいて送信を実行するために送信機によって実行される方法であって、前記送信機の送信帯域幅内にある複数のチャネルについてLBTプロシージャを実行すること（1202）であって、前記送信帯域幅は、前記複数のチャネルに対応する複数の帯域幅部分に分割されている、ことと、前記複数のチャネルについて実行された前記LBTプロシージャの結果に基づいて利用可能と決定された前記複数のチャネルのサブセットに対応する前記複数の帯域幅部分のサブセットにおけるTxOPの第1の部分の期間で送信すること（1204）と、前記TxOPの第1の部分の期間で送信することは、隣接する帯域幅部分の間にあるガードバンド内のリソースを利用しない第1の送信方式に従って、前記TxOPの第1の部分の期間で送信することを含み、前記複数の帯域幅部分のサブセット内の前記TxOPの第2の部分の期間で送信すること（1210）と、を有し、前記TxOPの第2の部分の期間で送信することは、互いに隣接する前記複数の帯域幅部分のサブセットのうちの2つ以上の間にある1つ以上のガードバンド内のリソースを利用する第2の送信方式に従って、前記TxOPの第2の部分の期間で送信することを含む。
【０１９５】
実施形態15：実施形態14に記載の方法であって、前記第1の送信方式および前記第2の送信方式は、前記複数の帯域幅部分のそれぞれにおいて複数のインターレースを定義するインターレースデザインを利用するものである。
【０１９６】
実施形態16：実施形態14または15に記載の方法であって、前記第1の送信方式は、利用可能であると判定された前記複数のチャネルの前記サブセットに対応する前記複数の帯域幅部分の前記サブセットにおいて前記TxOPの第1の部分の期間で送信するために利用されるキャリアアグリゲーション方式である。
【０１９７】
実施形態17：実施形態16に記載の方法であって、前記第2の送信方式は、利用可能であり、かつ、互いに隣接する前記複数の帯域幅部分の前記サブセットのうちの2つ以上の間にある1つ以上のガードバンド内のリソースであると判定された前記複数のチャネルの前記サブセットに対応する前記複数の帯域幅部分の前記サブセットにおいて前記TxOPの前記第2の部分の期間で送信するために利用される、キャリアアグリゲーション方式とキャリアマージ化方式との組み合わせである。
【０１９８】
実施形態18：実施形態16に記載の方法であって、前記第2の送信方式は、利用可能であると判定された前記複数のチャネルの前記サブセットに対応する前記複数の帯域幅部分の前記サブセットにおいて、前記TxOPの前記第2の部分の期間で送信するために利用されるキャリアマージ化方式である。
【０１９９】
実施形態19：実施形態14から18のいずれか1つに記載の方法であって、前記LBTプロシージャを完了する前に、前記TxOPの前記第1の部分の期間での送信のためのトランスポートブロックを生成することと、前記TxOPの前記第1の部分の期間での送信のための前記トランスポートブロックを前記複数の帯域幅部分にマッピングすることと、をさらに有する。
【０２００】
実施形態20：実施形態19に記載の方法であって、前記LBTプロシージャを完了した後に、前記TxOPの前記第2の部分の期間での送信のためにトランスポートブロックを生成することと、前記TxOPの前記第2の部分の期間での送信のための前記トランスポートブロックを、利用可能であると判定された前記複数のチャネルの前記サブセットに対応する前記複数の帯域幅部分の前記サブセットにマッピングすることと、をさらに有する。
【０２０１】
実施形態21：実施形態14に記載の方法であって、前記LBTプロシージャを完了する前に、前記TxOPの前記第1の部分の期間と前記TxOPの前記第2の部分の期間との両方で送信するためのコードブロックを生成することと、前記コードブロックを前記複数の帯域幅部分にマッピングすることと、をさらに有し、前記第1の送信方式および前記第2の送信方式は、利用可能であると判定された前記複数のチャネルの前記サブセットに対応する前記複数の帯域幅部分の前記サブセットにおいて、前記TxOPのそれぞれの部分の期間で送信するために、キャリアマージ化、または、キャリアアグリゲーションとキャリアマージ化との組合せを利用する。
【０２０２】
実施形態22：実施形態14から21のいずれか1つに記載の方法であって、前記TxOPの第1の部分の期間と前記TxOPの第2の部分の期間とのスイッチポイントのタイミングが事前構成される。
【０２０３】
実施形態23：前述の実施形態のいずれか1つに記載の方法であって、ユーザデータを提供することと、基地局への送信を介してホストコンピュータにユーザデータを転送することと、をさらに有する。
【０２０４】
グループBの実施形態
【０２０５】
実施形態24：リッスンビフォアトーク（LBT）を必要とする周波数スペクトルにおいて送信信号を受信するために受信機によって実行される方法であって、送信機から、複数のチャネルに対して前記送信機によって実行されたLBTプロシージャの結果に基づいて前記送信機によって利用可能と判定された前記送信機の送信帯域幅内の前記複数のチャネルの前記サブセットに対応する、前記送信機の送信帯域幅の複数の帯域幅部分のサブセットにおける送信信号を受信することを有し、前記送信信号を受信することは、前記送信機によって利用された送信方式に従って前記送信信号を受信することを含み、前記送信方式は、前記複数の帯域幅部分の前記サブセット上で前記送信信号を送信するために、キャリアアグリゲーションおよび／またはキャリアマージ化を利用し、かつ、前記複数の帯域幅部分の前記サブセットのうちから2つ（またはそれを超える）の隣接する帯域幅部分の間にあるガードバンド（複数）内のリソースを利用するものである。
【０２０６】
実施形態25：実施形態24に記載の方法であって、前記送信機の送信のために前記送信機によって使用される少なくとも1つのインターレースを示す1つ以上のパラメータ内で、前記送信機を事前構成すること、または、コンフィギュレーション（構成）を前記送信機にシグナリングすることをさらに有する。
【０２０７】
実施形態26の方法：実施形態24または25の方法であって、さらに、前記送信機の前記送信帯域幅内において前記複数のチャネルを有するチャネルセットについてLBTプロシージャを実行することで、前記送信機の送信帯域幅内の前記複数のチャネルの中から2つ以上の利用可能なチャネルを決定し、前記送信機に、前記2つ以上の利用可能なチャネルのインジケーションをシグナリングすることと、を有する。
【０２０８】
実施形態27：実施形態24から26のいずれか1つに記載の方法であって、前記送信は、前記受信機からの関連する送信によるチャネルの占有を共有する。
【０２０９】
実施形態28：リッスンビフォアトーク（LBT）を必要とする周波数スペクトルにおいて送信信号を受信するために受信機によって実行される方法であって、送信機から、前記複数のチャネルに対して前記送信機によって実行された前記LBTプロシージャの結果に基づいて前記送信機によって利用可能と判定された前記送信機の送信帯域幅内の複数のチャネルのサブセットに対応する、前記送信機の送信帯域幅内の複数の帯域幅部分のサブセットにおけるTxOPの第1の部分の期間で、受信することであって、前記送信機による前記TxOPの前記第1の部分の期間での送信は、隣接する帯域幅部分の間にあるガードバンド内のリソースを利用しない第1の送信方式に従うものである、ことと、前記複数の帯域幅部分の前記サブセットにおける前記TxOPの第2の部分の期間で、前記送信機から受信することと、を有し、前記送信機による前記TxOPの前記第2の部分の期間での送信は、前記複数の帯域幅部分のうちの相互に隣接している2つ以上の間にある1つ以上のガードバンド内のリソースを利用する第2の送信方式に従ったものである。
【０２１０】
実施形態29：実施形態28の方法であって、前記TxOPの前記第1の部分の期間とTxOPの第2の部分の期間とのスイッチポイントのタイミングのインジケーションを、前記送信機にシグナリングすることをさらに有する。
【０２１１】
実施形態30：前述の実施形態のいずれかに記載の方法であって、ユーザデータを取得することと、前記ユーザデータをホストコンピュータまたは無線デバイスに転送することと、をさらに有する。
【０２１２】
グループCの実施形態
【０２１３】
実施形態31：無線デバイスであって、グループAの実施形態のいずれかまたはグループBの実施形態のいずれかのステップのいずれかを実行するように構成されたプロセッシング回路と、前記無線デバイスに電力を供給するように構成された電源回路と、を有する。
【０２１４】
実施形態32：基地局であって、グループAの実施形態またはグループBの実施形態のいずれかにおけるいずれかのステップを実行するように構成されたプロセッシング回路と、前記基地局に電力を供給するように構成された電源回路と、を有する。
【０２１５】
実施形態33：ユーザ装置（UE）であって、無線信号を送信および受信するように構成されたアンテナと、前記アンテナおよびプロセッシング回路とに接続されたトランシーバ回路であって、前記アンテナと前記プロセッシング回路との間で通信される信号を調整するように構成されたトランシーバ回路と、を有し、前記プロセッシング回路は、グループAの実施形態またはグループBの実施形態のいずれかにおけるいずれかのステップを実行するように構成されている。
【０２１６】
実施形態34：ホストコンピュータを有する通信システムであって、ユーザデータを提供するように構成されたプロセッシング回路と、ユーザ装置（UE）に送信するために前記ユーザデータをセルラーネットワークに転送するように構成された通信インターフェースとを有し、前記セルラーネットワークは、無線インターフェースおよびプロセッシング回路を有する基地局を有し、前記基地局のプロセッシング回路は、グループAの実施形態のいずれかにおけるいずれかのステップを実行するように構成されている。
【０２１７】
実施形態35： 前述の実施形態の通信システムは、基地局をさらに有する。
【０２１８】
実施形態36：前述の2つの実施形態の通信システムであって、前記UEをさらに有し、前記UEは基地局と通信するように構成されている。
【０２１９】
実施形態37：前述の3つの実施形態の通信システムであって、前記ホストコンピュータのプロセッシング回路は、ホストアプリケーションを実行し、それによって前記ユーザデータを提供するように構成されており、前記UEは、前記ホストアプリケーションに関連付けられたクライアントアプリケーションを実行するように構成されたプロセッシング回路を有する。
【０２２０】
実施形態38：ホストコンピュータと、基地局と、ユーザ装置（UE）とを有する通信システムに実装される方法であって、前記方法は、前記ホストコンピュータにおいて、ユーザデータを提供することと、前記ホストコンピュータにおいて、基地局を有するセルラーネットワークを介して前記UEに前記ユーザデータを搬送する送信を開始することと、を有し、前記基地局は、グループAのいずれかの実施形態におけるいずれかのステップを実行する。
【０２２１】
実施形態39：基地局において、ユーザデータを送信することをさらに有する、前述の実施形態の方法。
【０２２２】
実施形態40：前述の2つの実施形態の方法であって、前記ユーザデータは、ホストアプリケーションを実行することによって前記ホストコンピュータにおいて提供され、前記方法は、前記UEにおいて、前記ホストアプリケーションに関連付けられたクライアントアプリケーションを実行することをさらに有する。
【０２２３】
実施形態41：基地局と通信するように構成されたユーザ装置（UE）であって、前記UEは、無線インターフェースと、前の3つの実施形態の方法を実行するように構成されたプロセッシング回路と、を有する。
【０２２４】
実施形態42：ホストコンピュータを有する通信システムであって、ユーザデータを提供するように構成されたプロセッシング回路と、ユーザ装置（UE）に送信するために前記ユーザデータをセルラーネットワークに転送するように構成された通信インターフェースとを有し、前記UEは、無線インターフェースとプロセッシング回路とを有し、前記UEの構成要素は、グループBの実施形態のいずれかにおけるいずれかのステップを実行するように構成されている。
【０２２５】
実施形態43：前述の実施形態の通信システムであって、前記セルラーネットワークは、前記UEと通信するように構成された基地局をさらに有する。
【０２２６】
実施形態44：前述の2つの実施形態の通信システムであって、前記ホストコンピュータの前記プロセッシング回路は、ホストアプリケーションを実行し、それによって前記ユーザデータを提供するように構成されており、前記UEのプロセッシング回路は、前記ホストアプリケーションに関連付けられたクライアントアプリケーションを実行するように構成されている。
【０２２７】
実施形態45：ホストコンピュータと、基地局と、ユーザ装置（UE）とを有する通信システムに実装される方法であって、前記方法は、前記ホストコンピュータにおいて、ユーザデータを提供することと、前記ホストコンピュータにおいて、前記基地局を有するセルラーネットワークを介して前記UEに前記ユーザデータを搬送する送信を開始することと、を有し、前記UEは、前記グループBの実施形態のいずれかにおけるいずれかのステップを実行する。
【０２２８】
実施形態46：前述の実施形態の方法であって、前記UEにおいて、前記基地局からユーザデータを受信することをさらに有する。
【０２２９】
実施形態47：ホストコンピュータを有する通信システムであって、ユーザ装置（UE）から基地局への送信から生じるユーザデータを受信するように構成された通信インターフェースを有し、前記UEは、無線インターフェースとプロセッシング回路とを有するもののであり、前記UEの前記プロセッシング回路は、グループAの実施形態のいずれかにおけるいずれかのステップのを実行するように構成されている。
【０２３０】
実施形態48：前述の実施形態の通信システムであって、前記UEをさらに有する。
【０２３１】
実施形態49：前述の2つの実施形態の通信システムであって、前記基地局をさらに有し、前記基地局は、前記UEと通信するように構成された無線インターフェースと、前記UEから前記基地局への送信によって搬送される前記ユーザデータを前記ホストコンピュータに転送するように構成された通信インターフェースとを有する。
【０２３２】
実施形態50：前述の3つの実施形態の通信システムであって、前記ホストコンピュータの前記プロセッシング回路は、ホストアプリケーションを実行するように構成され、前記UEのプロセッシング回路は、前記ホストアプリケーションに関連付けられたクライアントアプリケーションを実行し、それによってユーザデータを提供するように構成されている。
【０２３３】
実施形態51：前述の4つの実施形態の通信システムであって、前記ホストコンピュータの前記プロセッシング回路は、ホストアプリケーションを実行し、それによって要求データを提供するように構成され、前記UEのプロセッシング回路は、前記ホストアプリケーションに関連するクライアントアプリケーションを実行し、それによって前記要求データに応じた前記ユーザデータを提供するように構成されている。
【０２３４】
実施形態52：ホストコンピュータと、基地局と、ユーザ装置（UE）とを有する通信システムに実装される方法であって、前記方法は、前記ホストコンピュータにおいて、前記UEから前記基地局に送信されるユーザデータを受信することを有し、前記UEは、グループAの実施形態のいずれかにおけるいずれかのステップを実行する。
【０２３５】
実施形態53：前述の実施形態の方法であって、前記UEにおいて、前記ユーザデータを前記基地局に提供することをさらに有する。
【０２３６】
実施形態54：前述の2つの実施形態の方法であって、前記UEにおいて、クライアントアプリケーションを実行し、それによって、送信されるべき前記ユーザデータを提供することと、前記ホストコンピュータにおいて、前記クライアントアプリケーションに関連付けられたホストアプリケーションを実行することをさらに有する。
【０２３７】
実施形態55：前述の3つの実施形態の方法であって、前記UEにおいて、クライアントアプリケーションを実行することと、前記UEにおいて、前記クライアントアプリケーションへの入力データを受信することを有し、前記入力データは前記クライアントアプリケーションに関連するホストアプリケーションを実行することによって前記ホストコンピュータにおいて提供されるものであり、送信される前記ユーザデータは、前記入力データに応答して前記クライアントアプリケーションによって提供されるものである。
【０２３８】
実施形態56：ユーザ装置（UE）から基地局への送信から生じるユーザデータを受信するように構成された通信インターフェースを有するホストコンピュータを有する通信システムであって、前記基地局は、無線インターフェースとプロセッシング回路とを有し、前記基地局の前記プロセッシング回路は、グループBの実施形態のいずれかにおけるいずれかのステップを実行するように構成されている。
【０２３９】
実施形態57： 前述の実施形態の通信システムであって、前記基地局をさらに有する。
【０２４０】
実施形態58：前述の2つの実施形態の通信システムであって、前記UEをさらに有し、前記UEは前記基地局と通信するように構成されている。
【０２４１】
実施形態59：前述の3つの実施形態の通信システムであって、前記ホストコンピュータの前記プロセッシング回路は、ホストアプリケーションを実行するように構成され、前記UEは、前記ホストアプリケーションに関連付けられたクライアントアプリケーションを実行し、それによって、前記ホストコンピュータによって受信されるユーザデータを提供するように構成されている。
【０２４２】
実施形態60：ホストコンピュータと、基地局と、ユーザ装置（UE）とを有する通信システムに実装される方法であって、前記方法は、前記ホストコンピュータにおいて、前記基地局が前記UEから受信した送信信号から生じたユーザデータを前記基地局から受信することを有し、前記UEは、グループAの実施形態のいずれかにおけるいずれかのステップを実行する。
【０２４３】
実施形態61：前述の実施形態の方法であって、前記基地局において、前記UEから前記ユーザデータを受信することをさらに有する。
【０２４４】
実施形態62：前述の2つの実施形態の方法であって、前記基地局において、前記受信されたユーザデータの前記ホストコンピュータへの送信を開始することをさらに有する。
【０２４５】
本開示では、以下の略語の少なくともいくつかを使用されることがある。略語間に不一致がある場合、それが上記でどのように使用されるかが優先されるべきである。以下で複数回列挙される場合、第1の列挙は、その後の任意の列挙よりも優先されるべきである。
● us：  マイクロ秒
● 3GPP：  第三世代パートナーシッププロジェクト
● 5G：  第五世代
● AP：  アクセスポイント
● ASIC:  特定用途集積回路
● BI-FDMA：  ブロックインターリーブを適用される周波数分割多元接続
● BRAN：  ブロードバンド無線アクセスネットワーク
● BWP：  帯域幅部分
● CA：  キャリアアグリゲーション
● CP：  サイクリックプレフィックス
● CPU：  中央演算処理装置
● CRC：  巡回冗長検査
● D2D：  デバイスツーデバイス
● dBm：  デシベルミリワット
● DCI：  ダウンリンク制御情報
● DMRS：  復調基準信号
● DSP：  デジタルシグナルプロセッサ
● EIRP：  等価等方放射電力
● eNB  エンハンスド（拡張側）またはまたはエボルブド（進化型）ノードB
● ETSI：  欧州電気通信標準化機構
● FFT：  高速フーリエ変換
● FPGA：  フィールドプログラマブルゲートアレイ
● GHz：  ギガヘルツ
● gNB：  ニューレディオ（新無線）基地局
● HARQ：  ハイブリッド自動再送要求
● kHz：キロヘルツ
● LBT：  リッスンビフォアトーク
● LTE：  ロングタームエボリューション
● MAC：  媒体アクセス制御
● MCOT：  最大チャネル占有時間
● MHz：  メガヘルツ
● MME：  モビリティ管理エンティティ
● MTC：  マシンタイプ通信
● NACK：  ネガティブアクノレッジメント
● NR：  ニューレディオ（新無線）
● NR−U：  ニューレディオアンライセンスド（免許不要な新無線）
● OFDM：  直交周波数分割多重方式
● OTT：  オーバーザトップ
● PDCCH：  物理ダウンリンク制御チャネル
● P-GW：  パケットデータネットワークゲートウェイ
● PRB：  物理リソースブロック
● PSD：  電力スペクトル密度
● RAM：  ランダムアクセスメモリ
● RAN：  無線アクセスネットワーク
● RF：  無線周波数
● ROM：  リードオンリーメモリ
● RRC：  無線リソース制御
● RRH：  リモート無線ヘッド
● SCEF：  サービス能力公開機能
● TxOP：  送信機会
● UE：  ユーザ装置
● ULLCC：  超低レイテンシクリティカル通信
【０２４６】
当業者は、本開示の実施形態に対する改良および修正を認識するであろう。全てのそのような改良及び修正は、本明細書に開示された概念の範囲内にあると考えられる。
【図１】
2021510483.tif 000003
【図２】
2021510483.tif 000004
【図３】
2021510483.tif 000005
【図４】
2021510483.tif 000006
【図５】
2021510483.tif 000007
【図６】
2021510483.tif 000008
【図７】
2021510483.tif 000009
【図８】
2021510483.tif 000010
【図９】
2021510483.tif 000011
【図１０】
2021510483.tif 000012
【図１１】
2021510483.tif 000013
【図１２】
2021510483.tif 000014
【図１３】
2021510483.tif 000015
【図１４】
2021510483.tif 000016
【図１５】
2021510483.tif 000017
【図１６】
2021510483.tif 000018
【図１７】
2021510483.tif 000019
【図１８】
2021510483.tif 000020
【図１９】
2021510483.tif 000021
【図２０】
2021510483.tif 000022
【図２１】
2021510483.tif 000023
【図２２】
2021510483.tif 000024
【図２３】
2021510483.tif 000025
【図２４】
2021510483.tif 000026
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
リッスンビフォアトーク（LBT）を必要とする周波数スペクトルにおいて送信を実行するための送信ノードによって実行される方法であって、
前記送信ノードの送信帯域幅内の複数のチャネルに対してLBTプロシージャを実行することであって、当該送信帯域幅は、前記複数のチャネルに対応する複数の帯域幅部分に分割されている、こと（606、700）と、
前記複数のチャネルに対して実行された前記LBTプロシージャの結果に基づいて利用可能であると判定された前記複数のチャネルのサブセットに対応する前記複数の帯域幅部分のサブセットにおいて送信信号を送信すること（608、702）と、を有し、前記送信信号を送信することは、送信方式に従って前記送信信号を送信することを含み、当該送信方式は、
前記複数の帯域幅部分の前記サブセット上で前記送信信号を送信するために、キャリアアグリゲーション、および／または、キャリアマージ化を使用するとともに、
前記複数の帯域幅部分の前記サブセットのうちで2つ以上の隣接する帯域幅部分の間にある1つ以上のガードバンド内のリソースを使用するものである、方法。
【請求項２】
請求項1に記載の方法であって、前記複数のチャネルの前記サブセットは、少なくとも2つのチャネルを有し、前記複数の帯域幅部分の前記サブセットにおいて前記送信信号を送信すること（608、702）は、キャリアアグリゲーション方式に従って、前記複数の帯域幅部分の前記サブセットにおいて前記送信信号を送信すること（608、702）を有する、方法。
【請求項３】
請求項1に記載の方法であって、前記複数のチャネルの前記サブセットは、前記複数のチャネルのうちからの少なくとも2つの隣接するチャネルを有し、前記複数の帯域幅部分の前記サブセットにおいて前記送信信号を送信すること（608、702）は、少なくとも2つの隣接する帯域幅部分をマージし、前記少なくとも2つの隣接する帯域幅部分の間にある少なくとも1つのガードバンドにおいて少なくともいくつかのリソースを利用するキャリアマージ化方式に従って、前記少なくとも2つの隣接するチャネルに対応する前記少なくとも2つの隣接する帯域幅部分において前記送信信号を送信すること（608、702）を有する、方法。
【請求項４】
請求項1に記載の方法であって、
前記複数の帯域幅部分におけるリソースは、論理的に複数のインターレースに分割されており、
前記複数のチャネルの前記サブセットは、前記複数のチャネルのうちからの少なくとも2つの隣接するチャネルを有し、
前記複数の帯域幅部分の前記サブセットで前記送信信号を送信すること（608、702）は、キャリアマージ化方式に従って、前記少なくとも2つの隣接するチャネルに対応する前記少なくとも2つの隣接する帯域幅部分における複数のインターレースのうちの1つ以上を使用して前記送信信号を送信すること（608、702）を有し、当該キャリアマージ化方式は、
前記少なくとも2つの隣接する帯域幅部分をマージし、
前記少なくとも2つの隣接する帯域幅部分の間にある少なくとも1つのガードバンドにおける少なくともいくつかのリソースを利用するものであり、前記少なくとも1つのガードバンドにおける前記少なくともいくつかのリソースは、前記送信信号が送信される前記複数のインターレースのうちの前記1つ以上のうちの少なくとも1つに割り当てられるリソースを有する、方法。
【請求項５】
請求項3または4に記載の方法であって、前記複数のチャネルの前記サブセットは、前記少なくとも2つの隣接するチャネルに隣接していない前記複数のチャネルのうちからの少なくとも1つのチャネルをさらに有し、前記複数の帯域幅部分の前記サブセットにおいて前記送信信号を送信すること（608、702）は、（a）キャリアマージ化方式に従ってマージされる前記少なくとも2つの隣接するチャネルに対応する少なくとも2つの隣接する帯域幅部分と、（b）キャリアアグリゲーション方式に従って、前記少なくとも2つの隣接する帯域幅部分に隣接していない前記少なくとも1つのチャネルに対応する少なくとも1つの帯域幅部分とにおいて、前記送信信号を送信することをさらに有する、方法。
【請求項６】
請求項1に記載の方法であって、前記複数のチャネルの前記サブセットは、前記複数のチャネルのうちからの少なくとも2つの隣接するチャネルを有し、前記複数の帯域幅部分の前記サブセットにおいて前記送信信号を送信すること（608、702）は、前記少なくとも2つの隣接する帯域幅部分の間にある1つ以上のガードバンドにおける少なくともいくつかのリソースを利用するキャリアアグリゲーション方式に従って、前記少なくとも2つの隣接するチャネルに対応する少なくとも2つの隣接する帯域幅部分において前記送信信号を送信すること（608、702）を有する、方法。
【請求項７】
請求項1に記載の方法であって、
前記複数の帯域幅部分のリソースは、論理的に複数のインターレースに分割されており、
前記複数のチャネルの前記サブセットは、前記複数のチャネルのうちからの少なくとも2つの隣接するチャネルを有し、
前記複数の帯域幅部分の前記サブセットにおいて前記送信信号を送信すること（608、702）は、前記送信信号が送信される1つ以上のインターレースのうちの少なくとも1つに割り当てられた前記少なくとも2つの隣接する帯域幅部分の間にある1つ以上のガードバンドにおける少なくともいくつかのリソースを利用するキャリアアグリゲーション方式に従い、前記少なくとも2つの隣接するチャネルに対応した少なくとも2つの隣接する帯域幅部分にある複数のインターレースのうちの前記1つ以上のインターレースを使用して前記送信信号を送信すること（608、702）を有する、方法。
【請求項８】
請求項1に記載の方法であって、前記送信方式は、前記複数の帯域幅部分の各々において複数のインターレースを定義するインターレースデザインを利用するものであり、特定のインターレースのために割り当てられた前記1つ以上のガードバンドの少なくとも1つにおけるリソースは、前記複数の帯域幅部分内の対応するインターレースを占有している同一の無線デバイスに割り当てられる、方法。
【請求項９】
リッスンビフォアトーク（LBT）を必要とする周波数スペクトルにおいて送信を実行するために送信ノードによって実行される方法であって、
前記送信ノードの送信帯域幅内の複数のチャネルに対してLBTプロシージャを実行することであって、前記送信帯域幅は、複数のチャネルに対応する複数の帯域幅部分に分割されている、こと（1202、1308）と、
前記複数のチャネルについて実行されたLBTプロシージャの結果に基づいて利用可能であると判定された前記複数のチャネルのサブセットに対応する複数の帯域幅部分のサブセットにおける送信機会（TxOP）の第1の部分の期間で送信すること（1204、1310）であって、前記TxOPの前記第1の部分の期間で送信すること（1204、1310）は、隣接する帯域幅部分の間にあるガードバンド内のリソースを利用しない第1の送信方式に従って、前記TxOPの前記第1の部分の期間で送信すること（1204、1310）を有する、ことと、
前記複数の帯域幅部分の前記サブセットにおける前記TxOPの第2の部分の期間で送信すること（1210、1316）とであって、前記TxOPの前記第2の部分の期間で送信すること（1210、1316）は、互いに隣接する複数の帯域幅部分のサブセットのうちの2つ以上の間にある1つ以上のガードバンド内のリソースを利用する第2の送信方式に従って、前記TxOPの前記第2の部分の期間で送信すること（1210、1316）を有する、ことと、
を有する、方法。
【請求項１０】
請求項9に記載の方法であって、前記第1の送信方式および前記第2の送信方式は、前記複数の帯域幅部分のそれぞれにおいて複数のインターレースを定義するインターレースデザインを利用する、方法。
【請求項１１】
請求項9または10に記載の方法であって、前記第1の送信方式は、利用可能であると判定された前記複数のチャネルの前記サブセットに対応する前記複数の帯域幅部分の前記サブセットにおいて、前記TxOPの前記第1の部分の期間で送信するために利用されるキャリアアグリゲーション方式である、方法。
【請求項１２】
請求項11に記載の方法であって、前記第2の送信方式は、利用可能であると判定された前記複数のチャネルの前記サブセットに対応する前記複数の帯域幅部分の前記サブセットにおいて、前記TxOPの前記第2の部分の期間で送信するために利用されるキャリアアグリゲーション方式とキャリアマージ化方式との組合せであり、前記リソースは、互いに隣接する前記複数の帯域幅部分の前記サブセットのうちの前記2つ以上の間にある前記1つ以上のガードバンド内に存在する、方法。
【請求項１３】
請求項11に記載の方法であって、前記第2の送信方式は、利用可能であると判定された前記複数のチャネルの前記サブセットに対応する前記複数の帯域幅部分の前記サブセットにおいて前記TxOPの前記第2の部分の期間で送信するために利用されるキャリアアグリゲーション方式である、方法。
【請求項１４】
請求項11に記載の方法であって、前記第2の送信方式は、利用可能であると判定された前記複数のチャネルの前記サブセットに対応する前記複数の帯域幅部分の前記サブセットにおいて前記TxOPの前記第2の部分の期間で送信するために利用されるキャリアマージ化方式である、方法。
【請求項１５】
請求項9または10に記載の方法であって、
前記第1の送信方式は、利用可能であると判定された前記複数のチャネルの前記サブセットに対応する前記複数の帯域幅部分の前記サブセットにおけるTxOPの第1の部分の期間で送信するために利用されるキャリアアグリゲーション方式であり、
前記第2の送信方式は、利用可能であると判定された前記複数のチャネルの前記サブセットに対応する前記複数の帯域幅部分の前記サブセットにおけるTxOPの第2の部分の期間で送信するために利用されるキャリアマージ化方式である、方法。
【請求項１６】
請求項9から15のいずれか1項に記載の方法であって、前記LBTプロシージャを完了する前に、前記TxOPの前記第1の部分の期間での送信のためのトランスポートブロックを生成すること（1202、1306）と、前記TxOPの前記第1の部分の期間での送信のための前記トランスポートブロックを前記複数の帯域幅部分にマッピングすることと、をさらに有する、方法。
【請求項１７】
請求項16に記載の方法であって、前記LBTプロシージャを完了した後に、前記TxOPの前記第2の部分の期間での送信のためのトランスポートブロックを生成すること（1208、1314）と、前記TxOPの前記第2の部分の期間での送信のための前記トランスポートブロックを、利用可能であると判定された前記複数のチャネルの前記サブセットに対応する前記複数の帯域幅部分の前記サブセットにマッピングすることと、をさらに有する、方法。
【請求項１８】
請求項9に記載の方法であって、前記LBTプロシージャを完了する前に、前記TxOPの前記第1の部分と前記TxOPの前記第2の部分との両方の期間で送信するためのコードブロックを生成することと、前記コードブロックを前記複数の帯域幅部分にマッピングすることと、をさらに有し、前記第1の送信方式および前記第2の送信方式は、利用可能であると判定された前記複数のチャネルの前記サブセットに対応する前記複数の帯域幅部分の前記サブセットにおいて前記TxOPのそれぞれの部分の期間で送信するために、キャリアマージ化、または、キャリアアグリゲーションとキャリアマージ化との組合せを利用するものである、方法。
【請求項１９】
送信ノードであって、
少なくとも1つの送信機（1708）と、
前記少なくとも1つの送信機（1708）と関連するプロセッシング回路（1702）とを有し、前記プロセッシング回路（1702）は、前記送信ノードに請求項1から18のいずれか1項に記載の方法を実行させるように構成されている、送信ノード。
【国際調査報告】
2021510483.tif 000027
2021510483.tif 000028
2021510483.tif 000029